(57)【要約】【課題】本発明は、例えば光ディスク装置に適用して、抜粋情報を種類毎にまとめたデータ群によりインデックスファイルを形成し、１つのデータ群により他のデータ群をまとめて管理する場合に、抜粋情報の削除、追加に係る処理を簡易かつ確実に実行することができるようにする。【解決手段】本発明は、プロパティＥ４のスロットＰＥＳｎ、ＰＥＳｎ＋１、ＰＥＳｎ＋２に、有効無効を示す情報、同一ファイルに係る抜粋情報を割り当てた他のスロットＴＨＥｍ、ＴＨＥｍ＋１との関連を示す情報を記録して、抜粋情報を記録したスロットの組み合わせＰＥＳｎ＋１及びＴＨＥｍ、ＰＥＳｎ＋２及びＴＨＥｍ＋１をプロパティＥ４により管理する。【選択図】        図４
2004259397.tif 000002
【特許請求の範囲】
【請求項１】
所望のファイルを記録媒体に記録する記録装置において、
前記ファイル及びフォルダに係る抜粋情報により、前記記録媒体に記録した前記ファイルのインデックスファイルを作成するインデックスファイル生成手段を備え、
前記インデックスファイル生成手段は、
前記抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当てて前記インデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにした
ことを特徴とする記録装置。
【請求項２】
所定の前記ファイル又はフォルダに係る全グループの抜粋情報を削除する場合、
該抜粋情報を有する前記プロパティのグループのスロットにおいて、前記異なるグループの対応するスロットを指し示すスロット番号を変更することなく保持したまま、前記有効無効情報を無効に設定すると共に、前記拡張スロット番号、前記有無情報、前記拡張情報をクリアすることで、該ファイル又はフォルダの抜粋情報を割り当てた全てのスロットを空きスロットに設定する
ことを特徴とする請求項１に記載の記録装置。
【請求項３】
所定の前記ファイル又はフォルダに係る所定の前記異なるグループの抜粋情報を削除する場合、
該抜粋情報の属性情報を有する前記プロパティのグループのスロットにおいて、前記有効無効情報、前記拡張スロット番号、前記スロット番号を変更することなく保持したまま、該異なるグループに対する前記有無情報を無に設定すると共に、前記拡張情報をクリアすることで、前記異なるグループの対応するスロットを空きスロットに設定する
ことを特徴とする請求項１に記載の記録装置。
【請求項４】
前記有効無効情報により前記プロパティのグループにおける空きスロットを検出し、
該検出した空きスロットに設定された前記スロット番号により、過去に１つの前記ファイル又は前記フォルダの抜粋情報を割り当てた空きスロットの組み合わせを検出し、
該検出した空きスロットの組み合わせに、前記抜粋情報を登録する
ことを特徴とする請求項２に記載の記録装置。
【請求項５】
前記検出した空きスロットの組み合わせによっては、スロットが不足する場合、
前記スロットが不足するグループが前記プロパティのグループである場合は、前記有効無効情報の設定による空きスロットを追加し、
前記スロットが不足するグループが前記異なるグループである場合は、該グループに空きスロットを追加し、追加したスロットのスロット番号を、前記プロパティのグループの空きスロットの、前記異なるグループの対応するスロットを指し示すスロット番号に設定し、
該追加したスロットを前記検出した空きスロットの組み合わせに追加し、
前記抜粋情報を登録する
ことを特徴とする請求項４に記載の記録装置。
【請求項６】
前記空きスロットの追加を、所定個数だけまとめて実行し、
該追加した空きスロットの中から、不足する個数だけ前記検出した空きスロットの組み合わせに追加し、前記抜粋情報を登録する
ことを特徴とする請求項５に記載の記録装置。
【請求項７】
前記抜粋情報の登録に前記プロパティのグループにスロットが複数個分必要な場合、
前記有効無効情報により前記プロパティのグループにおける空きスロットを必要個数、検出し、
１つの空きスロットより他の空きスロットを指し示すように、前記拡張スロット番号を順次設定することにより、前記１つの空きスロットに係る空きスロットの組み合わせと、前記他の空きスロットに係る空きスロットの組み合わせを１つの空きスロットの組み合わせに設定し、
該１つの空きスロットの組み合わせに、前記抜粋情報を登録する
ことを特徴とする請求項２に記載の記録装置。
【請求項８】
前記検出した空きスロットの組み合わせによっては、前記異なるグループにおいてスロットが不足する場合、
他のスロットの組み合わせで空きスロットに設定されてなる対応するグループの空きスロットを指し示すように、前記検出した空きスロットの組み合わせにおいて前記スロット番号を設定すると共に、このスロット番号の設定に対応するように前記有無情報を設定することにより、前記検出した空きスロットの組み合わせに、前記他のスロットの組み合わせにおける対応するグループの空きスロットを加え、
前記他のスロットの組み合わせにおいて、前記他のスロットの組み合わせで空きスロットに設定されてなるスロットを指し示さないように、前記スロット番号にヌル値を設定することにより、前記他のスロットの組み合わせから、前記空きスロットに設定されてなるスロットを取り除き、
前記検出した空きスロットの組み合わせに、前記抜粋情報を登録する
ことを特徴とする請求項４に記載の記録装置。
【請求項９】
所定領域に保持された複数のファイルに係るファイル管理方法において、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにした
ことを特徴とするファイル管理方法。
【請求項１０】
コンピュータに所定の処理手順を実行させることにより、所定領域に保持された複数のファイルを管理するファイル管理方法のプログラムにおいて、
前記処理手順が、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにする処理手順である
ことを特徴とするファイル管理方法のプログラム。
【請求項１１】
コンピュータに所定の処理手順を実行させることにより、所定領域に保持された複数のファイルを管理するファイル管理方法のプログラムを記録した記録媒体において、
前記処理手順が、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにする処理手順である
ことを特徴とするファイル管理方法のプログラムを記録した記録媒体。
【発明の詳細な説明】
【０００１】
【発明の属する技術分野】
本発明は、記録装置、ファイル管理方法、ファイル管理方法のプログラム、ファイル管理方法のプログラムを記録した記録媒体に関し、例えば光ディスク装置に適用することができる。本発明は、プロパティのスロットに、有効無効を示す情報、同一ファイルに係る抜粋情報を割り当てた他のスロットとの関連を示す情報を記録して、１つのファイルに係る抜粋情報を記録したスロットの組み合わせをプロパティにより管理することにより、またこのスロットの組み合わせにより空きスロットを再利用することにより、抜粋情報を種類毎にまとめたデータ群によりインデックスファイルを形成し、１つのデータ群により他のデータ群をまとめて管理する場合に、抜粋情報の削除、追加に係る処理を簡易かつ確実に実行することができるようにする。
【０００２】
【従来の技術】
近年、光ディスク等のランダムアクセス可能な大容量の記録媒体を用いて、撮像結果を記録するディスク装置等が提案されるようになされている。
【０００３】
このようなディスク装置に関して、例えば特開２００１−８４７０５号公報においては、記録媒体に記録した多数のファイルよりこれら多数のファイルのインデックス用のファイルであるインデックスファイルを作成してこの記録媒体に記録することにより、このインデックスファイルを用いてこれら多数のファイルに係る操作性を向上する方法が提案されるようになされている。
【０００４】
また特開２００２−２７８９９６号公報においては、このようにして作成したインデックスファイルにおいて、各ファイルを階層化して管理することにより、さらに一段とこれら多数のファイルに係る操作性を向上する方法が提案されるようになされている。
【０００５】
すなわちこれらの方法において、インデックスファイルは、管理対象ファイル等に係る情報を抜粋して形成される抜粋情報をまとめた実データの部分と、この実データをアクセスするのに必要な位置情報等をまとめた管理データの部分とにより構成される。
【０００６】
このうち実データの部分は、図１８に示すように、抜粋情報を種類毎にグループ化してまとめたデータ群であるサウンドエントリＥ１、テキストエントリＥ２、サムネイル画像エントリＥ３、プロパティエントリＥ４により構成される。ここでサウンドエントリＥ１は、ディスクタイトル、各管理対象ファイルの内容を示す短時間のオーディオデータによる抜粋情報が割り当てられ、先頭に、サウンドエントリＥ１であることを示すサウンドエントリヘッダＳＨが設定され、抜粋情報をブロック化してなるサウンドエントリスロットＳＥＳ０、ＳＥＳ１、ＳＥＳ２、……の連続により形成される。
【０００７】
またテキストエントリＥ２は、ディスクタイトル、各管理対象ファイルに係るタイトルの文字列による抜粋情報が割り当てられ、先頭に、テキストエントリＥ２であることを示すテキストエントリヘッダＴＸＨが設定され、抜粋情報をブロック化してなるテキストエントリスロットＴＸＥＳ０、ＴＸＥＳ１、ＴＸＥＳ２、……の連続により形成される。
【０００８】
またサムネイル画像エントリＥ３は、ディスクタイトル、各管理対象ファイルの内容を示す静止画像により抜粋情報が割り当てられ、先頭に、サムネイル画像エントリＥ３であることを示すサムネイル画像エントリヘッダＴＨＨが設定され、抜粋情報をブロック化してなるサムネイル画像エントリスロットＴＨＥＳ０、ＴＨＥＳ１、ＴＨＥＳ２、……の連続により形成される。
【０００９】
これに対してプロパティエントリＥ４は、ディスクタイトル、各管理対象ファイルの属性を示すデータが割り当てられ、これらディスクタイトル、各管理対象ファイルに設定されたバイナリーデータによる抜粋情報が割り当てられる。プロパティエントリＥ４は、先頭に、プロパティエントリＥ４であることを示すプロパティエントリヘッダＰＨが設定され、抜粋情報をブロック化してなるプロパティエントリスロットＰＥＳ０、ＰＥＳ１、ＰＥＳ２、……の連続により形成される。
【００１０】
これによりインデックスファイルにおいては、例えばサムネイル画像より所望するファイルを選択する場合、タイトルにより所望するファイルを選択する場合等、ユーザーの選択基準に従って、対応するエントリＥ１〜Ｅ４に設定された抜粋情報をユーザーに提供して、所望するファイルを簡易かつ確実に選択できるようになされている。
【００１１】
【特許文献１】
特開２００１−８４７０５号公報
【特許文献２】
特開２００２−２７８９９６号公報
【００１２】
【発明が解決しようとする課題】
ところでこのようなインデックスファイルにおいて、サウンドエントリＥ１、テキストエントリＥ２、サムネイル画像エントリＥ３、プロパティエントリＥ４の各スロットＳＥＳ０、……、ＴＸＥＳ０、……、ＴＨＥＳ０、……、ＰＥＳ０、……を固定長により形成すれば、記録媒体に記録／削除を繰り返した際の無駄を排し、また処理速度の低下を有効に回避することができると考えられる。
【００１３】
このような固定長により各スロットＳＥＳ０、……、ＴＸＥＳ０、……、ＴＨＥＳ０、……、ＰＥＳ０、……を構成する場合、管理対象のファイルによっては、１つのファイルから得られる抜粋情報を複数のスロットに割り当てて管理することになる。従ってこれらのスロットの関係を管理することが必要になる。
【００１４】
また抜粋情報が、管理対象ファイルに係る情報を抜粋した情報であることにより、管理対象ファイルの種類によっては、プロパティエントリＥ４においては、対応するスロットが必ず存在するものの、他のエントリについては、対応するスロットが存在しない場合も発生する。これによりプロパティエントリＥ４と他のエントリＥ１〜Ｅ３との間の関係についても管理することが必要になる。
【００１５】
これによりプロパティエントリＥ４に、他のエントリとの関連を示す管理情報を記録し、この管理情報に従って、図１８において矢印により示すように、他のエントリＥ１〜Ｅ３に登録された他のエントリを参照するようにようにすれば、抜粋情報の管理を簡略化し得ると考えられる。
【００１６】
これに対してこのようなインデックスファイルにより記録媒体に記録されたファイルを管理する場合、管理対象ファイルの削除、追加に伴い、インデックスファイルを更新することが必要になる。この場合に、実際に対応するスロットを削除、追加することなく、対応するスロットを空きスロットに設定し、またこのようにして設定した空きスロットを再利用することにより、記録媒体における無駄な領域の使用を少なくすることができる。
【００１７】
しかしてこのような空きスロットの設定、再利用のための空きスロットの管理においては、各エントリＥ１〜Ｅ４に、それぞれ空きスロットを管理するスペースビットマップを設け、さらには続く空きスロットを指し示す情報のリストであるリンクリストを設定することが考えられる。
【００１８】
しかしながらこのように各エントリ毎に、空きスロットを管理する場合にあっては、インデックスファイルを完全に書き換えないうちに電源が立ち下がる等の異常終了によりこれら４つのエントリの記録が整合しなくなった場合に、整合を図る処理が複雑になる問題がある。またこのようなファイルの削除、追加に伴い、インデックスファイルの処理に時間を要することになり、光ディスク装置のようなアクセス時間が比較的大きい記録装置では、処理時間が長くなる問題もある。
【００１９】
これによりこのような空きスロットについてもプロパティエントリでまとめて管理することにより、このような問題点を解消し得ると考えられ、このようなプロパティによりまとめて管理する場合において、ファイルの削除、追加等による抜粋情報の削除、追加に対応することが求められる。
【００２０】
本発明は以上の点を考慮してなされたもので、抜粋情報を種類毎にまとめたデータ群によりインデックスファイルを形成し、１つのデータ群により他のデータ群をまとめて管理する場合に、抜粋情報の削除、追加に係る処理を簡易かつ確実に実行することができる記録装置、ファイル管理方法、ファイル管理方法のプログラム、ファイル管理方法のプログラムを記録した記録媒体を提案しようとするものである。
【００２１】
【課題を解決するための手段】
かかる課題を解決するため請求項１の発明においては、所望のファイルを記録媒体に記録する記録装置において、ファイル及びフォルダに係る抜粋情報により、記録媒体に記録したファイルのインデックスファイルを作成するインデックスファイル生成手段を備え、インデックスファイル生成手段は、抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、そのファイル又はフォルダが異なるグループの抜粋情報を有する場合は、少なくともその抜粋情報を収めるために必要な全ての異なるグループのスロットに対応するスロットを有するように、１つのファイル又はフォルダの抜粋情報を１個又は複数個の固定長のスロットに割り当ててインデックスファイルを作成し、プロパティのグループのスロットに、各グループを管理する管理情報を設定し、管理情報に、自身のスロットの有効無効を示す有効無効情報と、自身のスロットに続く拡張スロットを指し示す拡張スロット番号と、自身のスロットに係るファイルの抜粋情報を割り当てた、異なるグループの対応するスロットの有無を示す有無情報と、異なるグループの対応するスロットを指し示すスロット番号と、異なるグループの対応するスロットが拡張スロットであるか否かを示す拡張情報とを設定し、拡張スロット番号、有無情報、スロット番号、拡張情報により、１つのファイル又はフォルダの抜粋情報を割り当てたスロットの組み合わせを、プロパティのグループで示すようにする。
【００２２】
また請求項２の発明においては、請求項１の構成において、所定の前記ファイル又はフォルダに係る全グループの抜粋情報を削除する場合、該抜粋情報を有する前記プロパティのグループのスロットにおいて、前記異なるグループの対応するスロットを指し示すスロット番号を変更することなく保持したまま、前記有効無効情報を無効に設定すると共に、前記拡張スロット番号、前記有無情報、前記拡張情報をクリアすることで、該ファイル又はフォルダの抜粋情報を割り当てた全てのスロットを空きスロットに設定する。
【００２３】
また請求項３の発明においては、請求項１の構成において、所定のファイル又はフォルダに係る所定の異なるグループの抜粋情報を削除する場合、該抜粋情報の属性情報を有するプロパティのグループのスロットにおいて、有効無効情報、拡張スロット番号、スロット番号を変更することなく保持したまま、該異なるグループに対する有無情報を無に設定すると共に、拡張情報をクリアすることで、異なるグループの対応するスロットを空きスロットに設定する。
【００２４】
また請求項４の発明においては、請求項２の構成において、有効無効情報によりプロパティのグループにおける空きスロットを検出し、該検出した空きスロットに設定されたスロット番号により、過去に１つのファイル又はフォルダの抜粋情報を割り当てた空きスロットの組み合わせを検出し、該検出した空きスロットの組み合わせに、対応する抜粋情報を登録する。
【００２５】
また請求項５の発明においては、請求項４の構成において、検出した空きスロットの組み合わせによっては、スロットが不足する場合、スロットが不足するグループがプロパティのグループである場合は、有効無効情報の設定による空きスロットを追加し、スロットが不足するグループが異なるグループである場合は、該グループに空きスロットを追加し、追加したスロットのスロット番号を、プロパティのグループの空きスロットの、異なるグループの対応するスロットを指し示すスロット番号に設定し、該追加したスロットを検出した空きスロットの組み合わせに追加し、抜粋情報を登録する。
【００２６】
また請求項６の発明においては、請求項５の構成において、空きスロットの追加を、所定個数だけまとめて実行し、該追加した空きスロットの中から、不足する個数だけ検出した空きスロットの組み合わせに追加し、抜粋情報を登録する。
【００２７】
また請求項７の発明においては、請求項２の構成において、抜粋情報の登録にプロパティのグループにスロットが複数個分必要な場合、有効無効情報によりプロパティのグループにおける空きスロットを必要個数、検出し、１つの空きスロットより他の空きスロットを指し示すように、拡張スロット番号を設定することにより、１つの空きスロットに係る空きスロットの組み合わせと、他の空きスロットに係る空きスロットの組み合わせを１つの空きスロットの組み合わせに設定し、  該１つの空きスロットの組み合わせに、抜粋情報を登録する。
【００２８】
また請求項８の発明においては、請求項４の構成において、検出した空きスロットの組み合わせによっては、異なるグループにおいてスロットが不足する場合、他のスロットの組み合わせで空きスロットに設定されてなる対応するグループの空きスロットを指し示すように、検出した空きスロットの組み合わせにおいてスロット番号を設定すると共に、このスロット番号の設定に対応するように有無情報を設定することにより、検出した空きスロットの組み合わせに、他のスロットの組み合わせにおける対応するグループの空きスロットを加え、他のスロットの組み合わせにおいて、他のスロットの組み合わせで空きスロットに設定されてなるスロットを指し示さないように、スロット番号にヌル値を設定することにより、他のスロットの組み合わせから、空きスロットに設定されてなるスロットを取り除き、検出した空きスロットの組み合わせに、抜粋情報を登録する。
【００２９】
また請求項９の発明においては、所定領域に保持された複数のファイルに係るファイル管理方法に適用して、ファイル及びフォルダに係る抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、各グループを管理する管理情報を設定し、管理情報に、自身のスロットの有効無効を示す有効無効情報と、自身のスロットに続く拡張スロットを指し示す拡張スロット番号と、自身のスロットに係るファイルの抜粋情報を割り当てた、異なるグループの対応するスロットの有無を示す有無情報と、異なるグループの対応するスロットを指し示すスロット番号と、異なるグループの対応するスロットが拡張スロットであるか否かを示す拡張情報とを設定し、拡張スロット番号、有無情報、スロット番号、拡張情報により、１つのファイル又はフォルダの抜粋情報を割り当てたスロットの組み合わせを、プロパティのグループで示すようにする。
【００３０】
また請求項１０の発明においては、コンピュータに所定の処理手順を実行させることにより、所定領域に保持された複数のファイルを管理するファイル管理方法のプログラムにおいて、処理手順が、ファイル及びフォルダに係る抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、各グループを管理する管理情報を設定し、管理情報に、自身のスロットの有効無効を示す有効無効情報と、自身のスロットに続く拡張スロットを指し示す拡張スロット番号と、自身のスロットに係るファイルの抜粋情報を割り当てた、異なるグループの対応するスロットの有無を示す有無情報と、異なるグループの対応するスロットを指し示すスロット番号と、異なるグループの対応するスロットが拡張スロットであるか否かを示す拡張情報とを設定し、拡張スロット番号、有無情報、スロット番号、拡張情報により、１つのファイル又はフォルダの抜粋情報を割り当てたスロットの組み合わせを、プロパティのグループで示すようにする処理手順であるようにする。
【００３１】
また請求項１１の発明においては、コンピュータに所定の処理手順を実行させることにより、所定領域に保持された複数のファイルを管理するファイル管理方法のプログラムを記録した記録媒体に適用して、処理手順が、ファイル及びフォルダに係る抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、各グループを管理する管理情報を設定し、管理情報に、自身のスロットの有効無効を示す有効無効情報と、自身のスロットに続く拡張スロットを指し示す拡張スロット番号と、自身のスロットに係るファイルの抜粋情報を割り当てた、異なるグループの対応するスロットの有無を示す有無情報と、異なるグループの対応するスロットを指し示すスロット番号と、異なるグループの対応するスロットが拡張スロットであるか否かを示す拡張情報とを設定し、拡張スロット番号、有無情報、スロット番号、拡張情報により、１つのファイル又はフォルダの抜粋情報を割り当てたスロットの組み合わせを、プロパティのグループで示すようにする処理手順であるようにする。
【００３２】
請求項１の構成によれば、所望のファイルを記録媒体に記録する記録装置において、ファイル及びフォルダに係る抜粋情報により、記録媒体に記録したファイルのインデックスファイルを作成するインデックスファイル生成手段を備え、インデックスファイル生成手段は、抜粋情報をその抜粋情報の種類毎にグループ化し、抜粋情報のうちのファイルの属性情報を割り当ててなるプロパティのグループとは異なるグループにおいては、１つのファイル又はフォルダの抜粋情報を１個又は複数個の固定長のスロットに割り当て、プロパティのグループにおいては、少なくとも異なるグループのスロットに対応するスロットを有するように、１つのファイル又はフォルダの抜粋情報を１個又は複数個の固定長のスロットに割り当ててインデックスファイルを作成し、プロパティのグループのスロットに、各グループを管理する管理情報を設定し、管理情報に、自身のスロットの有効無効を示す有効無効情報と、自身のスロットに続く拡張スロットを指し示す拡張スロット番号と、自身のスロットに係るファイルの抜粋情報を割り当てた、異なるグループの対応するスロットの有無を示す有無情報と、異なるグループの対応するスロットを指し示すスロット番号と、異なるグループの対応するスロットが拡張スロットであるか否かを示す拡張情報とを設定し、拡張スロット番号、有無情報、スロット番号、拡張情報により、１つのファイル又はフォルダの抜粋情報を割り当てたスロットの組み合わせを、プロパティのグループで示すようにすることにより、固定長により１つのファイルに対応する抜粋情報を１つのグループで複数スロットに割り当てて、１つのファイル、フォルダの抜粋情報の登録に係るスロットが種々に変化する場合でも、１つのファイル又はフォルダの抜粋情報を割り当てたスロットの組み合わせを簡易かつ確実に、プロパティのみによって把握することができる。これにより、抜粋情報の削除、追加に係る処理を、これらプロパティに設定した有効無効情報等により、簡易かつ確実に実行することができる。
【００３３】
すなわち請求項２の構成により、請求項１の構成において、所定の前記ファイル又はフォルダに係る全グループの抜粋情報を削除する場合、該抜粋情報を有する前記プロパティのグループのスロットにおいて、前記異なるグループの対応するスロットを指し示すスロット番号を変更することなく保持したまま、前記有効無効情報を無効に設定すると共に、前記拡張スロット番号、前記有無情報、前記拡張情報をクリアすることで、該ファイル又はフォルダの抜粋情報を割り当てた全てのスロットを空きスロットに設定すれば、プロパティのグループ及び異なるグループについて、簡易に抜粋情報を削除し、また削除後においては、残されたプロパティのグループの空きスロットとそのスロットに保持された異なるグループへの対応スロット番号によるスロットとの組み合わせを単位にして再利用の利便を図ることができる。
【００３４】
また請求項３の構成により、請求項１の構成において、所定のファイル又はフォルダに係る所定の異なるグループの抜粋情報を削除する場合、該抜粋情報の属性情報を有するプロパティのグループのスロットにおいて、有効無効情報、拡張スロット番号、スロット番号を変更することなく保持したまま、該異なるグループに対する有無情報を無に設定すると共に、拡張情報をクリアすることで、異なるグループの対応するスロットを空きスロットに設定すれば、例えばサムネイル等の特定のグループに係る抜粋情報のみを作成する場合に、簡易に削除し得、また削除後においては、残された拡張スロット番号、有無情報、スロット番号によるスロットの組み合わせにより、削除した抜粋情報の再登録等に利便を図ることができる。
【００３５】
また請求項４の構成により、請求項２の構成において、有効無効情報によりプロパティのグループにおける空きスロットを検出し、該検出した空きスロットに設定された異なるグループの対応するスロット番号により、過去に１つのファイル又はフォルダの抜粋情報を割り当てた空きスロットの組み合わせを検出し、該検出した空きスロットの組み合わせに、対応する抜粋情報を登録すれば、プロパティに設定した情報による空きスロットの組み合わせをそのまま用いて抜粋情報を記録することができる。
【００３６】
また請求項５の構成により、請求項４の構成において、検出した空きスロットの組み合わせによっては、スロットが不足する場合、スロットが不足するグループがプロパティのグループである場合は、有効無効情報の設定による空きスロットを追加し、スロットが不足するグループが異なるグループである場合は、該グープに空きスロットを追加し、追加したスロットのスロット番号を、プロパティのグループの空きスロットの、異なるグループの対応するスロットを指し示すスロット番号に設定し、該追加したスロットを検出した空きスロットの組み合わせに追加し、抜粋情報を登録することにより、空きスロットの組み合わせに対して、適宜、空きスロットを追加して抜粋情報を登録することができる。
【００３７】
また請求項６の構成により、請求項５の構成において、空きスロットの追加を、所定個数だけまとめて実行し、該追加した空きスロットの中から、不足する個数だけ検出した空きスロットの組み合わせに追加し、抜粋情報を登録すれば、空きスロットの追加の回数を減ずることができる。
【００３８】
また請求項７の構成により、請求項２の構成において、抜粋情報の登録にプロパティのグループにスロットが複数個分必要な場合、有効無効情報によりプロパティのグループにおける空きスロットを必要個数、検出し、１つの空きスロットより他の空きスロットを指し示すように、拡張スロット番号を設定することにより、１つの空きスロットに係る空きスロットの組み合わせと、他の空きスロットに係る空きスロットの組み合わせを１つの空きスロットの組み合わせに設定し、該１つの空きスロットの組み合わせに、抜粋情報を登録することにより、複数の空きスロットの組み合わせをまとめて１つのファイル又はフォルダに係る抜粋情報を登録することができる。
【００３９】
また請求項８の構成により、請求項４の構成において、検出した空きスロットの組み合わせによっては、異なるグループにおいてスロットが不足する場合、他のスロットの組み合わせで空きスロットに設定されてなる対応するグループの空きスロットを指し示すように、検出した空きスロットの組み合わせにおいてスロット番号を設定すると共に、このスロット番号の設定に対応するように有無情報を設定することにより、検出した空きスロットの組み合わせに、他のスロットの組み合わせにおける対応するグループの空きスロットを加え、他のスロットの組み合わせにおいて、他のスロットの組み合わせで空きスロットに設定されてなるスロットを指し示さないように、スロット番号を設定することにより、他のスロットの組み合わせから、空きスロットに設定されてなるスロットを取り除き、検出した空きスロットの組み合わせに、抜粋情報を登録すれば、抜粋情報を登録しているスロットの組み合わせで余っている空きスロット、空きスロットの組み合わせにおける対応する空きスロットを、スロットの不足する空きスロットの組み合わせに移動させて抜粋情報を登録することができる。
【００４０】
これにより請求項９、請求項１０、請求項１１の構成によれば、抜粋情報をその抜粋情報の種類毎にまとめたデータ群によりインデックスファイルを形成し、１つのデータ群により他のデータ群をまとめて管理する場合に、抜粋情報の削除、追加に係る処理を簡易かつ確実に実行することができるファイル管理方法、ファイル管理方法のプログラム、ファイル管理方法のプログラムを記録した記録媒体を提供することができる。
【００４１】
【発明の実施の形態】
以下、適宜図面を参照しながら本発明の実施の形態を詳述する。
【００４２】
（１）第１の実施の形態
（１−１）光ディスク装置の構成
図１は、本発明の実施の形態に係る光ディスク装置を示すブロック図である。この光ディスク装置１においては、図示しない撮像手段、音声取得手段により被写体のビデオ信号、オーディオ信号を取得し、このビデオ信号及びオーディオ信号による撮像結果を光ディスク２に記録する。またこの光ディスク２に記録した撮像結果を再生して液晶表示パネルによる表示手段、スピーカによる音声出力手段より出力し、また外部機器に出力する。この光ディスク装置１では、このような撮像結果によるビデオ信号及びオーディオ信号をＭＰＥＧ（Ｍｏｖｉｎｇ  Ｐｉｃｔｕｒｅ  Ｅｘｐｅｒｔｓ  Ｇｒｏｕｐ）のフォーマットによりストリーミングデータに変換した後、所定のファイル形式により光ディスク２に記録するようになされ、この実施の形態では、このファイル形式にＱｕｉｃｋ  Ｔｉｍｅ（以下、「ＱＴ」と呼ぶ）が適用されるようになされている。なおこの実施の形態においては、このようにＱＴ形式によりインデックスファイルを作成する場合について説明するが、後述するようにインデックスファイルには種々のファイル形式を適用することができる。また記録媒体にあっても、光ディスクに限らず、ハードディスク、フラッシュメモリ等、種々の記録媒体を適用することができる。
【００４３】
これにより光ディスク装置１において、ビデオ符号器１１は、撮像結果によるビデオ信号をアナログディジタル変換処理してビデオデータを生成し、このビデオデータをＭＰＥＧのフォーマットに従って符号化処理し、これによりビデオデータによるエレメンタリストリームを出力する。
【００４４】
またオーディオ符号器１２は、撮像結果によるオーディオ信号をアナログディジタル変換処理してオーディオデータを生成し、このオーディオデータをＭＰＥＧのフォーマットに従って符号化処理し、これによりオーディオデータによるエレメンタリストリームを出力する。
【００４５】
ファイル生成器１５は、記録時、ビデオ符号器１１及びオーディオ符号器１２から出力されるエレメンタリストリームを多重化処理し、システム制御マイコン１９の制御によりＱＴムービーファイルを作成する。
【００４６】
メモリコントローラ１８は、システム制御マイコン１９の制御により動作を切り換え、記録時、このファイル生成器１５から出力されるＱＴムービーファイルによるデータ列、システム制御マイコン１９から出力される各種データをメモリ１７に順次記録して一時保持し、続くエラー訂正符号／復号器２１の処理に対応して保持したデータを出力する。また再生時、これとは逆に、エラー訂正符号／復号器２１の出力データを一時保持し、ファイル復号器１６、システム制御マイコン１９に出力する。
【００４７】
エラー訂正符号／復号器２１は、システム制御マイコン１９の制御により動作を切り換え、記録時、メモリコントローラ１８の出力データをメモリ２０に一時記録して誤り訂正符号を付加する。またこのようにしてメモリに保持したデータを所定順序により読み出して出力することにより、これらのデータをインターリーブ処理してデータ変復調器２３に出力する。またエラー訂正符号／復号器２１は、再生時、記録時とは逆に、データ変復調器２３から出力されるデータを所定順序によりメモリ２０に一時記録してメモリコントローラ１８に出力することにより、このデータ変復調器２３から出力されるデータをデインターリーブ処理して出力する。またこのとき、記録時に付加した誤り訂正符号により誤り訂正処理する。
【００４８】
データ変復調器２３は、システム制御マイコン１９の制御により動作を切り換え、記録時、エラー訂正符号／復号器２１の出力データをシリアルデータ列に変換した後、変調処理して磁界変調ドライバ２４又は光ピックアップ３３に出力する。また再生時、光ピックアップ３３から出力される再生信号からクロックを再生し、このクロックを基準にして再生信号を２値識別、復調処理することにより、記録時に生成したシリアルデータ列に対応する再生データを得、この再生データをエラー訂正符号／復号器２１に出力する。
【００４９】
磁界変調ドライバ２４は、光ディスク２が光磁気ディスクの場合に、記録時、システム制御マイコン１９の制御により、データ変復調器２３の出力信号により磁界ヘッド３２を駆動する。ここで磁界ヘッド３２は、光ディスク２を間に挟んで光ピックアップ３３に対向するように保持され、光ピックアップ３３によるレーザービーム照射位置にデータ変復調器２３の出力データに応じた変調磁界を印加する。これによりこの光ディスク装置１では、光ディスク２が光磁気ディスクの場合、熱磁気記録の手法により光ディスク２にＱＴムービーファイル等を記録するようになされている。
【００５０】
かくするにつき光ディスク２は、ディスク状記録媒体であり、この実施の形態では、光磁気ディスク（ＭＯ：Ｍａｇｎｅｔｏ−Ｏｐｔｉｃａｌ  Ｄｉｓｋ）、相変化型ディスク等の書き換え可能な光ディスクである。スピンドルモータ３１は、この光ディスク２をサーボ回路３０の制御により、光ディスク２に応じて線速度一定（ＣＬＶ：Ｃｏｎｓｔａｎｔ  Ｌｉｎｅａｒ  Ｖｅｌｏｃｉｔｙ）、角速度一定（ＣＡＶ、Ｃｏｎｓｔａｎｔ  Ａｎｇｕｌａｒ  Ｖｅｌｏｃｉｔｙ）、ゾーンＣＬＶ（ＺＣＬＶ：Ｚｏｎｅ  Ｃｏｎｓｔａｎｔ  Ｌｉｎｅａｒ  Ｖｅｌｏｃｉｔｙ  ）等の条件により光ディスク２を回転駆動する。
【００５１】
サーボ回路３０は、光ピックアップ３３から出力される各種信号に基づいて、スピンドルモータ３１の動作を制御し、これによりスピンドル制御の処理を実行する。またサーボ回路３０は、同様にして光ピックアップ３３をトラッキング制御、フォーカス制御し、また光ピックアップ３３、磁界ヘッド３２をシークさせ、さらにはフォーカスサーチ等の処理を実行する。
【００５２】
ドライブ制御マイコン２２は、システム制御マイコン１９の指示により、これらサーボ回路３０におけるシーク等の動作を制御する。
【００５３】
光ピックアップ３３は、光ディスク２にレーザービームを照射してその戻り光を所定の受光素子により受光し、その受光結果を演算処理することにより、各種制御用の信号を生成して出力し、また光ディスク２に形成されたピット列、マーク列に応じて信号レベルが変化する再生信号を出力する。また光ピックアップ３３は、システム制御マイコン１９の制御により動作を切り換え、光ディスク２が光磁気ディスクの場合、記録時、光ディスク２に照射するレーザービームの光量を間欠的に立ち上げる。これによりこの光ディスク装置１では、いわゆるパルストレイン方式により光ディスク２にＱＴムービーファイル等を記録するようになされている。また光ピックアップ３３は、光ディスク２が相変化型ディスク等の場合、データ変復調器２３の出力データに応じて光ディスク２に照射するレーザービームの光量を再生時の光量から書き込み時の光量に立ち上げ、これにより熱記録の手法を適用して光ディスク２にＱＴムービーファイル等を記録するようになされている。
【００５４】
これらによりこの光ディスク装置１では、撮像結果によるビデオ信号及びオーディオ信号をビデオ符号器１１、オーディオ符号器１２によりデータ圧縮してエレメンタリストリームに変換した後、ファイル生成器１５によりＱＴムービーファイルに変換し、メモリコントローラ１８、エラー訂正符号／復号器２１、データ変復調器２３を順次介して、光ピックアップ３３により、又は光ピックアップ３３及び磁界ヘッド３２によりこのＱＴムービーファイルのデータ、インデックスファイルのデータ等を光ディスク２に記録するようになされている。
【００５５】
また光ディスク装置１では、光ピックアップ３３より得られる再生信号をデータ変復調器２３により処理して再生データを得、この再生データをエラー訂正符号／復号器２１で処理して、光ディスク２に記録したＱＴムービーファイル、インデックスファイル等を再生できるようになされ、これらＱＴムービーファイル、インデックスファイル等をメモリコントローラ１８から出力するようになされている。
【００５６】
ファイル復号器１６は、メモリコントローラ１８から出力されるＱＴムービーファイルのデータを入力し、このデータをビデオデータ及びオーディオデータのエレメンタリストリームに分解して出力する。ビデオ復号器１３は、このビデオデータのエレメンタリストリームをデータ伸長して図示しない表示手段、外部機器に出力する。オーディオ復号器１４は、ファイル復号器１６から出力されるオーディオデータのエレメンタリストリームをデータ伸長して、図示しない音声出力手段、外部機器に出力する。これによりこの光ディスク装置１では、光ディスク２から再生した撮像結果をモニタし得るようになされている。
【００５７】
なお、光ディスク装置１は、コンピュータ等の外部機器を接続するインターフェースを有し、これにより撮像結果に代えてコンピュータの出力データを光ディスク２に記録し、また光ディスク２に記録したファイルを再生してコンピュータで処理できるようになされている。
【００５８】
操作部２６は、この光ディスク装置１の各種操作子、液晶表示パネルに配置されたタッチパネルにより構成され、ユーザーによる各種操作をシステム制御マイコン１９に通知する。
【００５９】
システム制御マイコン１９は、この光ディスク装置１全体の動作を制御するコンピュータであり、図示しないメモリに記録された所定の処理プログラムの実行により、光ディスク２の装填が検出されると、光ピックアップ３３を光ディスク２の最内周にシークさせ、光ディスク２に係るファイル管理システムの管理情報を再生する。さらにシステム制御マイコン１９は、この再生した管理情報をメモリコントローラ１８から取得し、内蔵のメモリに保持する。これによりシステム制御マイコン１９は、光ディスク２に記録された各ファイルのアドレス、空き領域を検出するようになされている。
【００６０】
またこのようにして取得した管理情報を検索して、光ディスク２にインデックスファイルが記録されている場合、このインデックスファイルの記録位置に光ピックアップ３３をシークさせ、このインデックスファイルを再生する。またメモリコントローラ１８よりこの再生したインデックスファイルを取得し、内蔵のメモリに記録して保持する。これによりこの実施の形態では、このインデックスファイルを利用して光ディスク２に記録されたファイルの処理に関して全体の操作性を向上するようになされている。なお、これによりインデックスファイルにおいては、ユーザーエリアの最内周近傍に記録して立ち上がり時間を短くすることができる。
【００６１】
すなわちシステム制御マイコン１９は、ユーザーの操作に応動して、このインデックスファイルによりモニタ用の液晶表示パネルにサムネイル画像等を表示することにより光ディスク２に記録されたＱＴムービーファイルの内容を紹介し、またこの紹介によりユーザーによるファイルの選択を受け付け、対応する管理情報によりこのユーザーにより選択されたファイルを再生するように全体の動作を制御する。
【００６２】
またユーザーによる撮像結果の記録が指示されると、管理情報により空き領域を検出して光ピックアップ３３をこの空き領域にシークさせ、順次得られる撮像結果を光ディスク２に記録する。またこの撮像結果の記録によるＱＴムービーファイルの記録に対応するように、メモリに保持した管理情報を更新し、光ディスク２の排出時等において、この更新した管理情報により光ディスク２の管理情報を更新する。なおこの管理情報の更新においては、メモリに保持して更新した管理情報をメモリコントローラ１８を介してエラー訂正符号／復号器２１に出力することにより実行される。
【００６３】
これらの処理において、システム制御マイコン１９は、記録に供するＱＴムービーファイルの生成に必要な各種の情報をファイル生成器１５に出力する。またファイル生成器１５を介してインデックスファイルの生成に必要な情報を取得し、この取得した情報とファイル生成器１５に出力した情報等とにより、新たに光ディスク２に記録するＱＴムービーファイルについて、メモリに保持したインデックスファイルを更新し、管理情報における更新処理と同様にして、このようにして更新してメモリに保持したインデックスファイルにより光ディスク２に記録されたインデックスファイルを更新する。
【００６４】
またユーザーにより光ディスク２に記録されたファイルの削除、追加等の編集が指示されると、さらにはインデックスファイル自体の編集が指示されると、この編集の処理に対応するように、記録時と同様にして、メモリに保持したインデックスファイル、管理情報を更新し、このメモリに保持したインデックスファイル、管理情報により光ディスク２のインデックスファイル、管理情報を更新する。なお光ディスク２にＱＴムービーファイルが記録されているにも係わらずインデックスファイルが記録されていない場合、システム制御マイコン１９は、ユーザーの指示によりインデックスファイルを作成してメモリに保持すると共に、光ディスク２に記録するようになされ、この処理においては、光ディスク２より各ＱＴムービーファイルの該当箇所を再生して、メモリコントローラ１８からインデックスファイルの生成に必要な情報を取得するようになされている。
【００６５】
（１−２）インデックスファイル
この実施の形態において、インデックスファイルは、ＱＴムービーファイル等の光ディスク２に記録される各種ファイルと同様に、光ディスク２のファイル管理システムにより、記録位置のアドレス、ファイル名、ファイル長等の再生に必要な情報が管理されるファイルであり、光ディスク２に記録された管理対象であるＱＴムービーファイルの内容を紹介する管理対象ファイルの抜粋情報等により構成される。
【００６６】
これによりこの光ディスク装置１では、このインデックスファイルに基づいて光ディスク２に記録されたＱＴムービーファイルを選択し、この選択したファイルを光ディスク２のファイル管理システムに基づいて光ディスク２から再生することにより、光ディスク２に多数のＱＴムービーファイルが記録されている場合でも、所望するファイルを迅速かつ正確に選択できるようになされ、その分、操作性を向上できるようにようになされている。
【００６７】
この実施の形態において、インデックスファイルは、このＱＴムービーファイルの内容を紹介する情報にＱＴムービーファイルに係る情報を抜粋した抜粋情報等を割り当て、これにより各ＱＴムービーファイルの内容を簡易かつ迅速に把握できるようになされている。
【００６８】
インデックスファイルは、例として図１８について上述したプロパティエントリ、サムネイル画像エントリ、テキストエントリ、サウンドエントリによる４つのファイルにより形成され、システム制御マイコン１９の指示により、光ディスク２−メモリ間で読み書きされる。
【００６９】
ここで抜粋情報は、このインデックスファイルによる管理対象ファイルの内容を紹介する管理対象ファイルの一部を抜粋した情報であることにより、管理対象ファイルの種類に応じて変化するものの、この実施の形態のように、管理対象ファイルがビデオデータ及びオーディオデータによるＱＴムービーファイルである場合、抜粋情報には、プロパティ、テキスト、サムネイル画像、サウンドの４種類のデータが適用される。なおこれらのうちプロパティが必須であるが、他は場合によって削られたり、あるいはここに上げられていない種類のグループが加えられる。
【００７０】
ここでプロパティは、ディスクタイトル、各管理対象ファイルの属性を示す属性情報である、ディスクタイトル、各管理対象ファイルに設定されたバイナリーデータによる抜粋情報が、他の抜粋情報の管理情報等と共に割り当てられる。テキストは、ディスクタイトル、各管理対象ファイルに係るタイトルの文字列を示すデータにより構成される。
【００７１】
サムネイル画像は、ディスクタイトル、各管理対象ファイルの内容を示す静止画像により構成され、管理対象ファイルのサムネイル画像は、例えば管理対象ファイルの先頭画像が割り当てられる。これに対してディスクタイトルのサムネイル画像等は、ユーザの選択により、例えば特定の管理対象ファイルのサムネイル画像が割り当られる。なお各管理対象ファイルのサムネイル画像は、ユーザーの選択により設定するようにしてもよい。
【００７２】
サウンドは、ディスクタイトル、各管理対象ファイルの内容を示す短時間のオーディオデータである。管理対象ファイルのサウンドは、例えば対応するファイルの再生開始より数秒間（例えば５秒間）のオーディオデータが割り当てられる。これに対してディスクタイトルのサウンド等は、ユーザの選択により、例えば特定の管理対象ファイルのサウンドが割り当られる。なお管理対象ファイルのサウンドにあっても、ユーザーの選択により設定するようにしてもよい。
【００７３】
これによりこの光ディスク装置１において、システム制御マイコン１９は、ファイル生成器１５よりデータ圧縮されたビデオデータ及びオーディオデータを取得してデコードした後、ビデオデータにおいては、画素の間引きによりサムネイル画像を生成するようになされている。またオーディオデータについては、必要箇所を切り出してサウンドのデータを生成するようになされている。また光ディスク２のファイル管理システムに保持された各管理対象ファイルのファイル情報より、さらにはユーザーの設定により、タイトルのデータを生成するようになされている。これに対してプロパティは、ユーザーの操作に応動してシステム制御マイコン１９により作成される。なおこれらサムネイル、サウンドのデータにおいては、必要に応じてデータ圧縮されてインデックスデータアトム７１に割り当てられる。
【００７４】
インデックスファイルは、さらに実データがそれぞれその抜粋情報の種類毎にグループ化されて各グループ毎にまとめられ、これにより抜粋情報が種類により区分されて複数のデータ群が形成される。インデックスファイルは、図１８に示すように、各グループの先頭にそれぞれヘッダＰＨ〜ＳＨが設定され、また各グループにおいては、固定長によるスロットに実データが割り当てられる。これによりインデックスファイルは、ヘッダＰＨ〜ＳＨに続くスロットの連続により各抜粋情報が登録され、これにより図１８について上述したプロパティエントリＥ４、サムネイル画像エントリＥ３、テキストエントリＥ２、サウンドエントリＥ１がそれぞれ構成されるようになされている。また１つのスロットに対応する１つのファイル等に係る抜粋情報を割り当てることが困難な場合、複数のスロットに１つの管理対象ファイル等による抜粋情報が割り当てられるようになされている。
【００７５】
各グループの先頭ヘッダには、それぞれのグループのスロットのサイズ、総スロット数等の、そのグループ全体を記述する情報が設定される。またこれらのグループのうち、プロパティのグループのみが必須とされる。
【００７６】
これによりこの光ディスク装置１では、例えばユーザーの指示によりサムネイルを基準にして所望のファイルをサーチする場合には、このサムネイルエントリを再生してサムネイル画像のデータを取得し、この取得したサムネイル画像のデータを表示してユーザーの指示を受け付けるようになされている。
【００７７】
（１−３）プロパティによる管理
プロパティエントリは、管理対象ファイルである光ディスク２に記録されたファイルに加えて、光ディスク２のファイル管理システムによる実在するフォルダ、仮想的なフォルダ、この仮想的なフォルダに仮想的に配置された管理対象のファイルに対して、それぞれ抜粋情報が登録される。プロパティエントリにおける各スロットにおいては、図２に示すように、各スロットを特定するスロット番号（エントリ番号）、これら実在するファイル及び、フォルダ、仮想的なファイル及び、フォルダを識別する識別情報が設定される。なお上述した他のエントリについても、同様に、実在するフォルダ、仮想的なフォルダ、この仮想的なフォルダに仮想的に配置された管理対象のファイルを登録し得るようになされている。これによりインデックスファイルにおいては、光ディスク２のファイル管理システムに対応する階層構造により、またユーザーの設定したお気に入り等による仮想的なフォルダによる階層構造により、管理対象ファイルを管理し得るようになされている。
【００７８】
またプロパティエントリは、他のエントリと同様に、各スロットが固定長により形成され、これによりプロパティに係る抜粋情報を１つのスロットに割り当てることができない場合、１つの管理対象ファイル、フォルダに対して、複数のスロットが割り当てられるようになされている。なおこのプロパティエントリ、他のエントリにおいて、このように１つのファイル、フォルダに対して複数のスロットが割り当てられている場合に、先頭以外のスロットを以下において拡張スロットと呼ぶ。
【００７９】
またプロパティエントリは、何れかの他のエントリにおいて、同様に、１つの管理対象ファイル、スロットに対して複数のスロットを設定する場合には、この他のエントリのスロットに対応するように複数のスロットが割り当てられるようになされている。
【００８０】
これにより例えばテキストエントリ、サムネイル画像エントリ、サウンドエントリが何れも設定されていないフォルダ等に対しては、プロパティに係る抜粋情報のデータ量に応じて１又は複数のスロットに対応する抜粋情報が割り当てられるようになされている。またテキストエントリ、サムネイル画像エントリ、サウンドエントリが何れも１つのスロットにより構成されているファイル、フォルダについては、同様に、プロパティに係る抜粋情報のデータ量に応じて１又は複数のスロットに対応す抜粋情報が割り当てられるようになされている。これに対してテキストエントリ、サムネイル画像エントリ、サウンドエントリの何れかが複数個のスロットにより構成されているファイル、フォルダについては、プロパティに係る抜粋情報のデータ量が十分に小さい場合でも、これらテキストエントリ、サムネイル画像エントリ、サウンドエントリのうちで最もスロット数の多いエントリに対応するスロット数が設定されるようになされている。
【００８１】
プロパティエントリは、各スロットに、テキストエントリ、サムネイル画像エントリ、サウンドエントリにおける対応するスロットの有無を示す有無情報である有無フラグが、それぞれテキストエントリ、サムネイル画像エントリ、サウンドエントリ毎に設定される。またこの対応するスロットを指し示す識別情報であるスロット番号がそれぞれテキストエントリ、サムネイル画像エントリ、サウンドエントリ毎に設定される。
【００８２】
またプロパティエントリは、続く拡張スロットが存在する場合、この続く拡張スロットを指し示すリンク情報である拡張スロット番号がこれら複数のスロットに設定されるようになされている。なおこの拡張スロット番号及びスロット番号においては、対応するスロットが存在しない場合、何ら意味を持たない値が設定されるようになされ、これによりこのような複数のスロットの末尾のスロット、１つのエントリに対して１つのスロットが割り当てられている場合、他のエントリにおける対応するスロットの有無等を検出できるようになされている。
【００８３】
またプロパティエントリは、対応する他のエントリのスロットが拡張スロットの場合、この対応する他のエントリのスロットが拡張スロットであることを示す拡張情報としての拡張フラグがそれぞれテキストエントリ、サムネイル画像エントリ、サウンドエントリに対応してセットされるようになされている。
【００８４】
またプロパティエントリは、スロットの有効無効を示す有効無効フラグが設定されるようになされ、これによりこのフラグの操作だけで管理対象ファイルの削除に対応できるようになされている。なおプロパティエントリは、これらの他に、管理情報として、例えば分割されたファイルに係る参照関係の情報、再生順序の情報等が割り当てられるようになされている。
【００８５】
これによりプロパティエントリにおいては、続く拡張スロットを指し示す拡張スロット番号を順次辿ってプロパティのスロットを検出するにより、１つのファイル又はフォルダの抜粋情報を割り当てたプロパティのスロットを検出することができ、またこのようにして検出したプロパティのスロットに設定された有無フラグ、スロット番号、拡張フラグにより、この１つのファイル又はフォルダの抜粋情報を割り当てた他のエントリのスロットを検出することができ、これによりこれらの情報により、１つのファイル又はフォルダの抜粋情報を割り当てたスロットの組み合わせをプロパティだけで検出できるようになされている。
【００８６】
これによりこの実施の形態においては、これら有無フラグ、スロット番号、拡張スロット番号、拡張フラグ、有効無効フラグの処理により、抜粋情報をその種類毎にまとめたデータ群によりインデックスファイルを形成し、１つのデータ群であるプロパティエントリにより他のデータ群をまとめて管理する場合に、抜粋情報の削除、追加に係る処理を簡易かつ確実に実行することができるようになされている。
【００８７】
すなわちこれら有無フラグ、スロット番号、拡張スロット番号、拡張フラグ、有効無効フラグの設定、更新による空きスロットの管理において、システム制御マイコン１９は、インデックスファイルに空きスロットが存在しない場合、管理対象ファイル、フォルダの追加により、プロパティエントリの末尾に必要な個数だけスロットを追加し、またテキストエントリ、サムネイル画像エントリ、サウンドエントリに必要な個数のスロットを追加し、このようにして追加したスロットにそれぞれ対応する抜粋情報を割り当てる。各エントリへの抜粋情報の割り当てに対応するように、このとき図２について上述した各エントリの有無フラグ、スロット番号、拡張フラグを設定し、またプロパティエントリの対応するスロットに拡張スロット番号、有効無効フラグを設定する。
【００８８】
これによりこのような場合において、システム制御マイコン１９は、例えば３つのファイルを追加し、この３つのファイルのプロパティエントリが、それぞれ１つのスロットで足りる場合、図３（Ａ）に示すように、プロパティエントリＥ４の末尾に３つのスロットＰＥＳｎ、ＰＥＳｎ＋１、ＰＥＳｎ＋２を追加するようになされている。またこれら追加に係る３つのスロットＰＥＳｎ、ＰＥＳｎ＋１、ＰＥＳｎ＋２において、それぞれ有効無効フラグを有効に設定し、さらに拡張スロット番号には何ら意味の無い値（いわゆるヌル値であり、以下において、図面においては空により示す）を設定するようになされている。
【００８９】
このインデックスファイルに対して、図３（Ｂ）に示すように、サムネイル画像エントリＥ３を登録しない場合には、対応するプロパティのスロットＰＥＳｎについては、サムネイルの有無フラグを無しに設定し、また対応するサムネイルのスロット番号、サムネイルの拡張フラグについては、それぞれ何ら意味の無い値（空）、ＮＯに設定するようになされている。
【００９０】
また追加に係るファイルに対応してサムネイル画像エントリＥ３にそれぞれ１つのスロットを登録する場合は、対応するプロパティエントリＥ３のスロットＰＥＳｎ＋１、ＰＥＳｎ＋２については、サムネイルの有無フラグを有に設定し、また対応するサムネイルのスロット番号については、対応するサムネイルにおけるスロットＴＨＥｍ、ＴＨＥｍ＋１のスロット番号を設定し、さらにサムネイルの拡張フラグについては、ＮＯを設定されるようになされている。
【００９１】
このようにインデックスファイルを更新した状態で、管理対象ファイル、フォルダの削除等により例えばスロットＰＥＳｎ、ＰＥＳｎ＋２に係る抜粋情報の全体登録を削除する場合、図４に示すように、システム制御マイコン１９は、それぞれスロットＰＥＳｎ、ＰＥＳｎ＋２の有効無効フラグを無効に設定し、拡張スロット番号、サムネイルの拡張フラグには何ら意味の無い値（空及びＮＯ）を設定するが、サムネイルのスロット番号については、何ら変更することなく、そのままの値に保持する。なお以下において、このように拡張スロット番号、他のエントリの有無フラグ、他のエントリの拡張フラグをそれぞれ空、無、ＮＯに設定する処理を初期設定の処理と呼ぶ。
【００９２】
これによりシステム制御マイコン１９においては、簡易な処理により抜粋情報全体の登録を削除して空きスロットを作成し得るようになされ、このように作成した空きスロットにおいても、元の１つのファイル又はフォルダの抜粋情報を割り当てたスロットの組み合わせの関係を維持するようになされているため、何れかのスロットがどこからも参照されずに、いわゆる宙に浮いた状態（リーク状態）にならないようになされている。
【００９３】
またサムネイル画像エントリ等の他のエントリに係る抜粋情報の登録のみ削除する場合、対応するエントリに係る有無フラグを無に設定し、サムネイルの拡張フラグをＮＯに設定し、他の設定については、何ら変更しないようにする（図７参照）。具体的に、例えばサムネイル画像のスロットＴＨＥｍのみ削除する場合、対応するプロパティエントリのスロットＰＥＳｎ＋１において、対応するエントリの有無フラグだけを無に、サムネイルの拡張フラグをＮＯに設定することにより、このサムネイル画像のスロットＴＨＥＳｍを空きスロットに設定するようになされている。これによってもシステム制御マイコン１９においては、簡易な処理により抜粋情報自体の登録を削除して空きスロットを作成し得るようになされ、また元のスロットの組み合わせについては維持するようになされているため、何れかのスロットがどこからも参照されずに、いわゆる宙に浮いた状態（リーク状態）にならないようになされている。
【００９４】
これらによりこのインデックスファイルにおいては、プロパティエントリにより他のエントリを一元的に管理して、ファイル、フォルダの削除、インデックスファイルの編集等により、有効無効フラグ、有無フラグをそれぞれ無効、無しに設定してなる空きスロットが発生することになる。
【００９５】
システム制御マイコン１９は、ファイル、フォルダの追加、インデックスファイルの編集等により抜粋情報を追加登録する場合、この有効無効フラグを基準にしてプロパティエントリの空きスロットを検出し、この空きスロットを再利用する。またこのとき空きスロットの設定時、元のままに保持してなるスロット番号の情報を有効に利用して、この情報により検出されるスロット群（以下、空きスロットの組み合わせと呼ぶ）を有効に利用して、抜粋情報を登録する。かくするにつき、上述したように、抜粋情報の全体削除において、拡張スロット番号を空に設定することにより、この実施の形態においては、このような空きスロットの組み合わせが１つのプロパティのスロットを単位にして作成されるようになされ、これによっても種々の処理を繰り返し実行して、サムネイル等にリーク状態のスロットが発生しないようになされている。
【００９６】
すなわちシステム制御マイコン１９は、プロパティエントリを検索して有効無効フラグを無効に設定してなるスロットを検出することによりプロパティエントリについて空きスロットを検出する。またこのようにして検出してなる空きスロットに設定してなる拡張スロット番号の設定を辿り、これにより空きスロットの組み合わせを検出する。また追加登録に係る抜粋情報の記録に必要な各エントリのスロット数を検出し、この追加登録に必要な各エントリのスロット数を有してなる空きスロットの組み合わせを検出し、このスロットの組み合わせに追加登録に係る抜粋情報を登録する。またこのとき空きスロットに係る有効無効フラグを有効に設定する。
【００９７】
このようにして対応する空きスロットの組み合わせに抜粋情報を登録する場合、他のエントリへの対応関係を示すエントリ番号については、削除前の値に保持されていることにより、この場合、他の空きスロットがそのまま割り当てられ、これにより簡易な処理により抜粋情報を追加登録できるようになされている。
【００９８】
かくするにつき図４のプロパティエントリＥ４のスロットＰＥＳｎ、ＰＥＳｎ＋２の空きスロットにおいて、スロットＰＥＳｎは、このスロットＰＥＳｎのみにより空きスロットの組み合わせが構成されているのに対し、スロットＰＥＳｎ＋２においては、このプロパティのスロットＰＥＳｎ＋２とサムネイルのスロットＴＨＥｍ＋１とにより空きスロットの組み合わせが構成されていることになる。このような場合において、システム制御マイコン１９は、プロパティエントリの抜粋情報を１スロット分だけ登録する場合、もし空きプロパティスロットとしてＰＥＳｎが検索されれば、そこにプロパティ情報を登録する。そのエントリに対してサムネイル画像を１スロット分付加するときは、サムネイルスロットを１スロット分末尾に追加してそのスロットをＰＥＳｎから指すようにし、追加したサムネイルスロットにサムネイル画像を書き込む。あるいは別法では、サムネイルの無効スロットが存在すれば（この場合図４のＴＨＥｍ＋１は無効スロット）、そのスロットをＰＥＳｎから指すようにして、プロパティスロット（この場合ＰＥＳｎ＋２）から無効サムネイルスロット（この場合ＴＨＥｍ＋１）を指していたフィールドは「空」にし、獲得したサムネイルスロットにサムネイル画像を書き込む。いずれの場合も、最後にサムネイルの有無フラグを「有」に設定し、サムネイルの拡張フラグは「ＮＯ」にして、有効サムネイル・スロットにする。なお図４の状態で最初からサムネイル画像が１スロット分付加されることがわかっているファイルを登録する場合、このような方法で登録してもよいが、別法として、最初から無効サムネイルスロットを抱えているプロパティスロットを検索して（図４の場合ＰＥＳｎ＋２とＴＨＥｍ＋１）、その組み合わせに対して属性情報、サムネイル画像を書き込んでもよい。
【００９９】
これによりシステム制御マイコン１９は、有効無効情報である有効無効フラグによりプロパティのグループにおける空きスロットを検出し、この検出した空きスロットに設定された他のエントリの対応するスロットを指し示すスロット番号により、過去に１つのファイル又はフォルダの抜粋情報を割り当てた空きスロットの組み合わせを検出し、この検出した空きスロットの組み合わせに対応する抜粋情報を登録するようになされ、空きスロットの組み合わせを有効に再利用して無駄な空きスロットの増大を有効に回避するようになされている。
【０１００】
これに対して複数スロット分の抜粋情報をプロパティエントリに登録する場合、システム制御マイコン１９は、拡張スロット番号の設定により、プロパティエントリの空きスロットを結合させて抜粋情報を登録する。
【０１０１】
すなわち例えばそれぞれ２スロット分のデータ量による抜粋情報をプロパティに登録する場合、図４に示すように、プロパティのみが１スロットだけ空きスロットであるプロパティのスロットＰＥＳｎが始めに検出され、この場合、このスロットＰＥＳｎだけでは空きスロットが不足することにより、さらに空きスロットＰＥＳｎ＋２が検出される。
【０１０２】
この場合、システム制御マイコン１９は、図４との対比により図５に示すように、この２つのプロパティのスロットＰＥＳｎ、ＰＥＳｎ＋２を登録対象として確保した後、スロットＰＥＳｎ、ＰＥＳｎ＋２の有効無効フラグを有効に設定し、またスロットＰＥＳｎからスロットＰＥＳｎ＋２を指し示すように、すなわちスロットＰＥＳｎ＋２がスロットＰＥＳｎの拡張スロットとなるように拡張スロット番号を設定し、これにより２つのプロパティのスロットＰＥＳｎ、ＰＥＳｎ＋２と１つのサムネイルのスロットＴＨＥｍ＋１との空きスロットの組み合わせを形成する。
【０１０３】
システム制御マイコン１９は、他の抜粋情報、管理情報をこれらプロパティのスロットＰＥＳｎ、ＰＥＳｎ＋２に登録し、この場合、プロパティのスロットＰＥＳｎ＋２のスロット番号により指し示されるサムネイルの空きスロットＴＨＥｍ＋１については、空きスロットのままに保持する。
【０１０４】
これによりシステム制御マイコン１９は、プロパティエントリに複数スロット分の抜粋情報を登録する場合、検出した空きプロパティスロットがリスト構造を形成するように各スロットの拡張スロット番号を設定し、それらのスロットに抜粋情報を登録するようになされ、これによっても無駄な空きスロットを少なくして効率良く抜粋情報を登録できるようになされている。
【０１０５】
またこのプロパティエントリの登録の処理において、併せて他のエントリの抜粋情報を登録する場合にあって、登録対象であるプロパティエントリのスロットに設定された対応するエントリのスロット番号より、この他のエントリの抜粋情報に十分な空きスロットが検出されると、この場合は、この空きスロットに他の抜粋情報を登録し、またこの登録に対応するように有無フラグ、拡張フラグを設定する。このときシステム制御マイコン１９は、プロパティエントリの対応するスロットの先頭側より順次この他のエントリの対応するスロットを指し示すように、有無フラグ、拡張フラグ、スロット番号を設定する。すなわち図５に示す例において、プロパティエントリのスロットＰＥＳｎ、ＰＥＳｎ＋１と、サムネイル画像エントリの空きスロットＴＨＥｍ＋１に抜粋情報を登録する場合には、プロパティエントリの先頭側スロットＰＥＳｎに、この図５（Ａ）においてスロットＰＥＳｎ＋１に設定されているスロット番号、拡張フラグをコピーしてセットし、またスロットＰＥＳｎ＋１においては、スロット番号、拡張フラグを空、ＮＯにセットする。またスロットＰＥＳｎにおいては、有無フラグを有にセットする。
【０１０６】
これに対してこのような空きスロットが存在しない場合、さらにはプロパティエントリに抜粋情報を登録する際に、プロパティエントリの空きスロット数では不足する場合、システム制御マイコン１９は、不足するスロットを追加し、この追加したスロットとの間で拡張スロット番号等を設定し直して抜粋情報を登録する。
【０１０７】
すなわち例えば図４について上述したように、プロパティのみが１スロットだけ空きスロットであるプロパティのスロットＰＥＳｎと、プロパティ及びサムネイルがそれぞれ１スロットだけ空きスロットであるプロパティのスロットＰＥＳｎ＋２、サムネイルのスロットＴＨＥｍ＋１の組み合わせが存在する場合にあって、サムネイル及びプロパティにそれぞれ３スロット分及び２スロット分の抜粋情報を登録する場合、サムネイル及びプロパティにそれぞれ１スロット及び２スロットのスロットが不足することになる。
【０１０８】
この場合、システム制御マイコン１９は、図６に示すように、不足するスロットをそれぞれ対応するエントリの末尾に追加する。なおこの図６においては、この追加に係るスロットをそれぞれＰＥＳ＋１、ＴＨＥｐ＋１、ＴＨＥｐ＋２により示す。これによりシステム制御マイコン１９は、各エントリの末尾に他のスロットとの間では何ら関連付けられていない空きスロットを設定する。
【０１０９】
続いてシステム制御マイコン１９は、それまでのプロパティの空きスロットＰＥＳｎ、ＰＥＳｎ＋２、プロパティに追加した空きスロットＰＥＳｏ＋１を登録対象として確保した後、これらスロットＰＥＳｎ、ＰＥＳｎ＋２、ＰＥＳｏ＋１の有効無効フラグを有効に設定する。またスロットＰＥＳｎからスロットＰＥＳｎ＋２を指し示すように、さらにはスロットＰＥＳｎ＋２からスロットＰＥＳｏ＋１を指し示すように、スロットＰＥＳｎ、ＰＥＳｎ＋２の拡張スロット番号を設定し、これによりこれら３つのプロパティのスロットＰＥＳｎ、ＰＥＳｎ＋２、ＰＥＳｏ＋１と１つのサムネイルのスロットＴＨＥｍ＋１との組み合わせを形成する。
【０１１０】
さらにシステム制御マイコン１９は、サムネイルの有無フラグを無に設定してなるプロパティエントリのスロットＰＥＳｎ、ＰＥＳｏ＋１について、この有無フラグを有りに設定し、またそれぞれ追加に係るサムネイルのスロットＴＨＥｐ＋１、ＴＨＥｐ＋２を指し示すように、スロット番号を設定し、これにより３つのプロパティのスロットＰＥＳｎ、ＰＥＳｎ＋２、ＰＥＳｏ＋１と３つのサムネイルのスロットＴＨＥｍ＋１、ＴＨＥｐ＋１、ＴＨＥｐ＋２との組み合わせを形成する。
【０１１１】
システム制御マイコン１９は、これによりこの組み合わせに係る空きスロットＰＥＳｎ、ＰＥＳｎ＋２、ＰＥＳｏ＋１、ＴＨＥｍ＋１、ＴＨＥｐ＋１、ＴＨＥｐ＋２に抜粋情報を登録する。なおこの場合も、サムネイル画像エントリに対してリンク関係（スロット番号）が元々設定されてなるプロパティのスロットＰＥＳｎ＋２については、スロット番号の情報については、元のままに保持し、これによりこの種の登録の処理を簡略化し得るようになされている。これによりこの図６に示す例においては、プロパティについては、並び順に抜粋情報が登録されるのに対し、サムネイルについては、並び順とは異なる順序により抜粋情報が登録されるようになされている。
【０１１２】
これによりシステム制御マイコン１９は、検出した空きスロットの組み合わせによっては、スロットが不足する場合、この不足するスロットを追加すると共に、この追加したスロットを空きスロットの組み合わせに追加し、抜粋情報を登録するようになされている。
【０１１３】
なおシステム制御マイコン１９は、このようにして登録した状態で、サムネイル画像の抜粋情報だけを削除する場合、上述したように図６との対比により図７に示すように、対応するプロパティのスロットにおいて、サムネイルに係る有無フラグを無に、拡張フラグをＮＯに設定し、他の関連するスロット番号については、元のままに保持するようになされている。
【０１１４】
かくするにつき図８及び図９は、プロパティエントリのみを登録する場合を例にとって、システム制御マイコン１９における拡張スロット番号の設定に係る一連の処理を示すフローチャートである。システム制御マイコン１９は、この場合、ステップＳＰ１からステップＳＰ２に移り、プロパティエントリの登録に必要なスロット数を検出して変数ｎに設定する。
【０１１５】
続いてシステム制御マイコン１９は、ステップＳＰ３に移り、ここで変数ｎが０より大きいか否か判断し、肯定結果が得られると、ステップＳＰ４に移る。ここでシステム制御マイコン１９は、有効無効フラグが無効に設定されてなる空きスロットが存在するか否か判断し、ここで肯定結果が得られると、ステップＳＰ５に移り、この空きスロットを確保する。また続くステップＳＰ６において、上述したようにこの空きスロットの有効無効フラグ及びスロット番号を有効及び空に設定し、拡張スロット番号、有無フラグ、拡張フラグを空きスロット設定時の初期状態のままに維持し、抜粋情報を登録した後、ステップＳＰ７に移る。
【０１１６】
これに対してステップＳＰ４で否定結果が得られると、システム制御マイコン１９は、ステップＳＰ４からステップＳＰ８に移り、プロパティエントリの末尾にスロットを追加して空きスロットを確保する。また続くステップＳＰ９において、上述したようにこの空きスロットの有効無効フラグ等を設定すると共に抜粋情報を登録した後、ステップＳＰ７に移る。
【０１１７】
これによりシステム制御マイコン１９は、有効無効フラグで検出した空きスロットが不足する場合、スロットを追加してプロパティの抜粋情報を登録するようになされている。このようにして抜粋情報等を登録して、システム制御マイコン１９は、ステップＳＰ７において、直前のステップＳＰ６又はステップＳＰ９における抜粋情報の設定に係るスロットが、拡張スロットか否か、すなわち１つのエントリにおいて、抜粋情報を複数のスロットに登録する場合に、先頭以外のスロットか否か判断する。ここで否定結果が得られると、システム制御マイコン１９は、ステップＳＰ７からステップＳＰ１０に移り、変数ｎを値１だけ減算した後、ステップＳＰ３に戻る。
【０１１８】
これにより登録に必要な数だけ、システム制御マイコン１９は、この処理手順を繰り返して順次、プロパティの抜粋情報を登録するようになされている。しかして２回目以降の繰り返しにおいて、システム制御マイコン１９は、ステップＳＰ７で肯定結果が得られることになる。この場合システム制御マイコン１９は、ステップＳＰ７からステップＳＰ１１に移り、この処理手順の繰り返しにより、前に登録してなるスロットの拡張スロット番号を、直前のステップＳＰ６又はステップＳＰ９の登録に係るスロットを指し示すように設定した後、ステップＳＰ１０に移る。
【０１１９】
これらによりシステム制御マイコン１９は、順次拡張スロット番号を設定して登録に必要なスロット数の分だけこの処理手順を繰り返し、全ての登録を完了すると、ステップＳＰ３で否定結果が得られることにより、ステップＳＰ３からステップＳＰ１２に移ってこの処理手順を終了する。
【０１２０】
これに対して図１０及び図１１は、サムネイル画像の抜粋情報を登録する場合を例にとって、システム制御マイコン１９における一連の処理を示すフローチャートである。システム制御マイコン１９は、この場合、ステップＳＰ２１からステップＳＰ２２に移り、サムネイル画像エントリの登録に必要なスロット数を検出して変数ｎに設定する。また続くステップＳＰ２３において、このサムネイル画像エントリの登録に対応するプロパティエントリの登録において、プロパティエントリに登録する抜粋情報に係るスロット数が、ステップＳＰ２２で設定した変数ｎより大きいか否か判断し、ここで否定結果が得られると、ステップＳＰ２４に移り、不足するスロット数だけプロパティエントリに空きスロットを確保した後、ステップＳＰ２５に移る。なおこのプロパティエントリにおける空きスロットの確保においては、図８及び図９について上述した処理手順により実行される。これに対してステップＳＰ２３で肯定結果が得られると、直接ステップＳＰ２５に移る。
【０１２１】
このステップＳＰ２５において、システム制御マイコン１９は、抜粋情報の格納を完了したサムネイル画像エントリのスロット数を示す変数ｍを値０に設定する。また続くステップＳＰ２６において、この抜粋情報の格納を完了したサムネイル画像エントリに対応するプロパティエントリのスロット数ｋを値１に設定した後、ステップＳＰ２７に移り、変数ｍが変数ｎより小さいか否か判断する。
【０１２２】
ここで肯定結果が得られると、システム制御マイコン１９は、ステップＳＰ２７からステップＳＰ２８に移り、ここでプロパティエントリより空きスロットを検出し、この空きスロットにおいて、対応するサムネイルスロットの存在を示す有無フラグが空に設定されているか否か判断する。ここで肯定結果が得られると、システム制御マイコン１９は、ステップＳＰ２８からステップＳＰ２９に移り、サムネイル画像エントリの末尾に空きスロットを追加する。また続くステップＳＰ３０において、ステップＳＰ２８の処理に係るプロパティエントリの空きスロットに、このステップＳＰ２９で追加した空きスロットを指し示すように、スロット番号を設定した後、ステップＳＰ３１に移る。これに対してステップＳＰ２８で否定結果が得られると、直接、ステップＳＰ２８からステップＳＰ３１に移る。
【０１２３】
このステップＳＰ３１において、システム制御マイコン１９は、変数ｋが値１か否か判断し、ここで肯定結果が得られると、ステップＳＰ３１からステップＳＰ３２に移り、ステップＳＰ２８で検出したプロパティエントリの空きスロットにおいて、サムネイルの有無フラグを有り、サムネイルの拡張フラグをＮＯに設定した後、ステップＳＰ３３に移る。これに対してステップＳＰ３１で否定結果が得られると、システム制御マイコン１９は、ステップＳＰ３１からステップＳＰ３４に移り、サムネイルの有無フラグを有り、サムネイルの拡張フラグをＹＥＳに設定した後、ステップＳＰ３３に移る。
【０１２４】
このステップＳＰ３３において、システム制御マイコン１９は、ステップＳＰ２８で検出したプロパティのスロットにより指し示されるサムネイルの空きスロット、又はステップＳＰ３０で設定した追加に係るサムネイルの空きスロットに、変数ｋで示される順番の対応する抜粋情報を割り当てた後、ステップＳＰ３５に移る。ここでシステム制御マイコン１９は、変数ｋを値１だけインクリメントした後、続くステップＳＰ３６において、同様に、変数ｍを値１だけインクリメントし、ステップＳＰ２７に戻る。これによりシステム制御マイコン１９は、不足する場合にはプロパティ及びサムネイルの空きスロットを追加し、プロパティ及びサムネイルの抜粋情報を順次登録し、全ての登録を完了すると、ステップＳＰ２７で否定結果が得られることにより、ステップＳＰ２７からステップＳＰ３８に移ってこの処理手順を終了する。
【０１２５】
なおシステム制御マイコン１９は、他のテキスト、サウンドに係る抜粋情報の登録についても、またこれらの組み合わせ、これらサムネイル画像、プロパティの組み合わせに係る抜粋情報の登録についても、同様に処理を実行する。
【０１２６】
（１−４）第１の実施の形態の動作
以上の構成において、この光ディスク装置１では（図１）、撮像手段、音声取得手段で取得したビデオデータ、オーディオデータがそれぞれビデオ符号器１１、オーディオ符号器１２でエンコードされた後、ファイル生成器１５によりＱＴムービーファイルのデータストリームに変換され、メモリコントローラ１８、エラー訂正符号／復号器２１、データ変復調器２３、磁界変調ドライバ２４、光ピックアップ３３による記録系を介して光ディスク２に記録される。これによりこの光ディスク装置１では、撮像結果がＱＴムービーファイルにより光ディスク２に記録される。またこの光ディスク２のファイルの記録に対応するように、システム制御マイコン１９の出力データがこの光ディスク装置１の記録系に出力され、これにより光ディスク２のファイル管理システムに係る管理情報がこのＱＴムービーファイルの記録に対応するように更新される。
【０１２７】
またこのようにして記録したＱＴムービーファイルにおいては、ファイル管理システムによる管理情報に基づいて光ピックアップ３３、データ変復調器２３、エラー訂正符号／復号器２１、メモリコントローラ１８を介して順次再生され、ファイル復号器１６によりビデオデータ及びオーディオデータのエレメンタリストリームに分解された後、それぞれビデオ復号器１３、オーディオ復号器１４によりデコードされて出力される。
【０１２８】
この光ディスク装置１では、このようなＱＴムービーファイルの記録時、ファイル生成器１５よりサムネイル画像用のデータ、サウンド用のデータがシステム制御マイコン１９で取得され、またこのファイルの記録に前後したユーザーの入力等によりタイトルのデータがシステム制御マイコン１９で取得される。またファイル管理システムに係るファイル名等の情報が取得され、これらにより光ディスク２に記録するＱＴムービーファイルの抜粋情報がシステム制御マイコン１９で収拾される。光ディスク装置１では、光ディスク２のファイル管理システムに係る管理情報と同様に、システム制御マイコン１９に内蔵のメモリにおいて、このようにして取得した抜粋情報によりインデックスファイルが生成され、このインデックスファイルがＱＴファイルと同様に光ディスク２に記録される。またこのインデックスファイルの記録、削除に対応するようにファイル管理システムの管理情報が更新される。
【０１２９】
このシステム制御マイコン１９におけるインデックスファイルの生成処理においては、抜粋情報がその抜粋情報の種類毎に分類されてグループ化され、各種類毎に、ファイル化されてプロパティエントリ、テキストエントリ、サムネイル画像エントリ、サウンドエントリによりインデックスファイルが形成される。
これによりこの実施の形態では、このインデックスファイルを有効に利用して所望するファイルを簡易かつ確実に検出できるようになされ、その分操作性を向上し得るようになされている。
【０１３０】
このようにして作成されるインデックスファイルにおいては、各エントリにおいて、１つのファイル、フォルダの抜粋情報が固定長によるスロットに割り当てられて登録されることにより、１つのファイル、フォルダの抜粋情報が１個又は複数個のスロットに割り当てられて形成される。これによりこの実施の形態においては、インデックスファイルに係る処理を簡略化し得るようになされている。
【０１３１】
このようにして固定長のスロットにより各エントリに対応する抜粋情報を登録するにつき、インデックスファイルにおいては、他のエントリに対応するスロットを有するようにプロパティエントリが形成される。これによりインデックスファイルは、プロパティエントリ以外のエントリにおいては、管理対象であるファイル、フォルダ、さらにはユーザーの設定に応じて、１つのファイル、フォルダに割り当てられるスロットの数が種々に変化するのに対し、プロパティエントリにおいては、他のエントリにおけるスロットに対応するスロットが必ず設けられ、これによりプロパティを基準にして他のエントリのスロットを管理することが可能となる。
【０１３２】
またこのようにプロパティエントリにスロットを設定して、プロパティエントリには、他のエントリを管理する管理情報が設定され、このプロパティの各スロットにおいては、この管理情報に、自身のスロットの有効無効を示す有効無効情報である有効無効フラグ、自身のスロットに続く拡張スロットを指し示す拡張スロット番号、自身のスロットに対応する他のエントリのスロットの有無を示す有無情報（有無フラグ）、この他のエントリの対応するスロットを指し示すスロット番号、この他のエントリの対応するスロットが拡張スロットであるか否かを示す拡張フラグが設定される。これによりインデックスファイルにおいては、これら管理情報により、１つのファイル又はフォルダの抜粋情報を割り当てたスロットの組み合わせを示すことができ、これにより抜粋情報の削除、追加に係る処理を、これらプロパティに設定した管理情報により、簡易かつ確実に実行することができるようになされている（図２及び図３）。
【０１３３】
すなわちこのようにインデックスファイルのプロパティエントリに管理情報を設定して、１つのファイル、フォルダの削除等により対応する抜粋情報全体の登録を削除する場合、この実施の形態においては、管理情報に割り当てられた有効無効フラグを無効に設定し、また拡張スロット番号、有無フラグ、拡張フラグを初期設定である空、無、ＮＯに設定し、この有効無効フラグに係るスロットに設定された拡張エントリ番号を順次辿って検出されるスロットにおいても、同様の設定により空きスロットが形成される。これによりこの実施の形態では、簡易かつ確実に抜粋情報を削除することができる（図４）。
【０１３４】
また特定のエントリに係る抜粋情報を削除する場合、対応するプロパティエントリのスロットにおいて、またこのスロットに設定された拡張エントリ番号を順次辿って検出されるスロットにおいて、この削除に係るエントリの有無フラグを無に設定することにより、この特定エントリの抜粋情報を記録したスロットを空きスロットに設定することができ、これによっても削除に係るインデックスファイルの処理を簡易かつ確実に実行できるようになされている（図７）。
【０１３５】
このようにして有効無効フラグ、有無フラグの設定により空きスロットを作成する場合、この実施の形態では、他の管理情報のうちの、対応する他のエントリのスロットを指し示すスロット番号については、元のままに維持される。これによりこの実施の形態では、抜粋情報を記録していたときのスロットの組み合わせにより、空きスロットの組み合わせを把握し得るようになされ、これにより空きスロットの増大を有効に回避し、この空きスロットの組み合わせの利用により抜粋情報を登録する際の利便を図ることができるようになされている。また拡張スロット番号を空に設定することにより、このような空きスロットの組み合わせをプロパティのスロットを単位にして形成するようになされ、これによっても簡易な処理により抜粋情報の削除、登録の処理を実行し得るようになされている。またこれらにより種々の処理を繰り返し実行しても、リーク状態のスロットが発生しないようになされている。
【０１３６】
すなわちこの実施の形態では、抜粋情報を登録する際に、登録に必要な各エントリの空きスロット数が検出され、プロパティエントリに設定された管理情報により、対応する空きスロットの組み合わせが検出される。ここで空きスロットが無い場合等にあっては、各エントリに登録に係る抜粋情報に対応する空きスロットが追加され、この追加された空きスロットに対応する抜粋情報等が割り当てられ、これによりインデックスファイルに１つのファイル又はフォルダによる抜粋情報が登録される（図３及び図４）。
【０１３７】
これに対して登録に必要なスロット数を満足してなる空きスロットの組み合わせが検出されると、この空きスロットの組み合わせに対応する抜粋情報等が割り当てられ、これによりインデックスファイルに１つのファイル又はフォルダによる抜粋情報が登録される。このとき当然に各プロパティエントリの有効無効フラグが有効に設定される。また他のエントリの抜粋情報を登録する場合には、対応するエントリに係る有無フラグが有に設定される。しかしてスロット番号にあっては、この空きスロットの組み合わせに係る抜粋情報の登録時と同一に維持されていることにより、この場合、改めて他のエントリの必要な空きスロットを検索することなく、このスロット番号により対応するエントリの空きスロットを検出して抜粋情報を登録することができ、これにより抜粋情報の登録に係る処理を簡略化することができる（図３及び図４）。
【０１３８】
これに対してこのような抜粋情報の登録において、プロパティエントリに複数スロットが必要な場合、すなわちプロパティエントリの抜粋情報自体が複数スロット分の場合、さらには他のエントリに係る抜粋情報が複数スロット分であって、その分、プロパティエントリにおいても複数スロットが必要となる場合、プロパティエントリにおける空きスロットが検出され、この空きスロットにおける拡張スロット番号の設定により必要個数分、プロパティエントリの空きスロットが繋ぎ併せてて、これらの空きスロットに係る複数の空きスロットの組み合わせが１つにまとめられる。またこのようにしてまとめられた組み合わせに抜粋情報が登録される（図４及び図５）。これによりプロパティエントリのスロットを単位にして空きスロットの組み合わせを管理して、プロパティエントリの複数スロットに簡易に抜粋情報を登録することができる。
【０１３９】
またこのプロパティエントリの登録において、併せて他のエントリの抜粋情報を登録する場合にあっては、このような空きスロットの組み合わせに係る対応するエントリの空きスロットに抜粋情報が登録され、これらに対応するように有無フラグ、拡張フラグが設定される。この処理においても、各プロパティのスロットに設定されたままになっている拡張スロット番号により他のエントリの空きスロットを検出して抜粋情報を登録し得、これにより簡易な処理により抜粋情報を登録することができる。またこのような他のエントリの抜粋情報の登録においては、対応するプロパティエントリの先頭スロットより順次指し示すように、これらプロパティエントリにおける有無フラグ、スロット番号、拡張フラグが設定され、これにより削除、追加を繰り返した場合でも、簡易な処理によりサムネイル画像等をサーチできるようになされている。
【０１４０】
これに対してこのようなプロパティエントリに複数スロットが必要な場合に、プロパティエントリ、他のエントリで空きスロットが不足する場合、スロットが不足してなるエントリの末尾に空きスロットが追加され、プロパティエントリのスロットにおける管理情報の設定により、この追加された空きスロットが空きスロットの組み合わせに追加される（図４及び図６）。またこのようにして空きスロットを追加してなる空きスロットの組み合わせにおいて、有効無効フラグが有効に設定され、対応する抜粋情報等が各スロットに割り当てられ、これによりインデックスファイルに１つのファイル又はフォルダによる抜粋情報が登録される。
【０１４１】
このときも元の空きスロットの組み合わせにおいては、空きスロットの組み合わせに係るスロット番号が登録時と同一に維持されていることにより、このスロット番号の設定を有効に利用して抜粋情報を登録することができ、これにより抜粋情報の登録に係る処理を簡略化することができる。
【０１４２】
（１−５）第１の実施の形態の効果
以上の構成によれば、プロパティのスロットに、有効無効を示す情報、同一ファイルに係る抜粋情報を割り当てた他のスロットとの関連を示す情報である管理情報として拡張スロット番号、有無フラグ、スロット番号、拡張フラグを記録し、抜粋情報を記録したスロットの組み合わせをプロパティにより管理することにより、抜粋情報をその抜粋情報の種類毎にまとめたデータ群によりインデックスファイルを形成し、１つのデータ群により他のデータ群をまとめて管理する場合に、抜粋情報の削除、追加に係る処理を簡易かつ確実に実行することができる。
【０１４３】
すなわちこれらの管理情報のうちの、スロット番号については変更することなく、有効無効情報の設定により空きスロットを設定することにより、抜粋情報の削除に係る処理を簡易かつ確実に実行することができる。また抜粋情報を登録している際に設定されたスロットの組み合わせにより空きスロットの組み合わせを形成し得、これによりこの空きスロットの組み合わせにより空きスロットを再利用して、抜粋情報の登録に係る処理を簡易かつ確実に実行することができる。
【０１４４】
またスロット番号については何ら変更することなく、他のエントリに係る有無フラグのみの変更により対応する属性の抜粋情報を削除して空きスロットを設定することにより、簡易に所望する抜粋情報だけ削除することができる。また抜粋情報を登録している際に設定されたスロットの組み合わせにより抜粋情報が記録されているスロットの組み合わせを形成し得、これによりこのスロットの組み合わせを抜粋情報の登録に利用して、抜粋情報の登録に係る処理を簡易かつ確実に実行することができる。
【０１４５】
また有効無効フラグ等によりこのような空きスロットの組み合わせを検出し、この組み合わせにより抜粋情報を登録することにより、簡易かつ確実に抜粋情報を登録することができる。
【０１４６】
またスロットが不足する場合には、不足するエントリに空きスロットを追加し、この追加した空きスロットとの間で空きスロットの組み合わせを形成し、抜粋情報を登録することによっても、簡易かつ確実に抜粋情報を登録することができる。
【０１４７】
また抜粋情報の登録のためにプロパティエントリに複数スロットが必要な場合には、他の空きスロットの組み合わせに係るプロパティのスロットを指し示すように、拡張スロット番号を設定し、複数の空きスロットの組み合わせを１つにまとめ、この空きスロットの組み合わせに抜粋情報を登録することによっても、簡易かつ確実に抜粋情報を登録することができる。
【０１４８】
またこの場合に、スロットが不足する場合には、不足するエントリに空きスロットを追加し、この追加した空きスロットとの間で空きスロットの組み合わせを形成し、抜粋情報を登録することによっても、簡易かつ確実に抜粋情報を登録することができる。
【０１４９】
（２）第２の実施の形態
この実施の形態においては、不足する空きスロットを対応するエントリに追加する場合に、所定個数だけまとめて追加する。なおこの実施の形態においては、このスロットに追加に係る処理が異なる点を除いて、第１の実施の形態と同一に構成される。
【０１５０】
すなわち図１２に示すように、この実施の形態においては、空きスロットが不足する場合、対応するエントリの末尾に、所定個数だけまとめて空きスロットを設定する。なおこの図１２の例では、プロパティエントリに空きスロットを追加し、そのうちの１つだけを抜粋情報の登録に使用した場合である。
【０１５１】
このためこの実施の形態に係るシステム制御マイコン１９においては、この図１２に示す例の場合、図８及び図９について上述したステップＳＰ８に係る処理に代えて、図１３に示すステップＳＰ８−１、ステップＳＰ９−１、ステップＳＰ９−２の処理手順を実行する。なおこの図１３に示す処理手順において、図８及び図９の処理手順と同一の処理は、対応する符号を付して示す。
【０１５２】
すなわちシステム制御マイコン１９は、ステップＳＰ３（図８）からステップＳＰ４に移ってプロパティエントリに空きスロットが存在するか否か判断し、ここで肯定結果が得られると、第１の実施の形態における処理手順と同様に、ステップＳＰ５、ステップＳＰ６の処理手順を順次実行してステップＳＰ７に移り、これによりプロパティエントリで検出される空きスロットに抜粋情報を登録する。
【０１５３】
これに対して空きスロットが存在しない場合、ステップＳＰ４で否定結果が得られ、システム制御マイコン１９は、ステップＳＰ８−１に移る。ここでシステム制御マイコン１９は、プロパティエントリの末尾にスロットを所定個数だけ追加した後、続くステップＳＰ９−１において、この末尾に追加したスロットに対応する抜粋情報を登録し、またこのスロットの管理情報を設定する。また続くステップＳＰ９−２において、残る追加のスロットを空きスロットに設定し、ステップＳＰ７に移る。
【０１５４】
このようにまとめて空きスロットを追加すれば、スロットが不足する都度、空きスロットを登録する必要が無いことにより、その分、処理を簡略化して第１の実施の形態と同一の効果を得ることができる。
【０１５５】
（３）第３の実施の形態
この実施の形態においては、有無フラグの設定により空きスロットに設定されてなるスロットの組み合わせから、この空きスロットを取り除き、この空きスロットをスロットが不足する空きスロットの組み合わせに割り当て、これにより一段と空きスロットの発生を防止する。なおこの実施の形態においては、この有無フラグの設定に係る空きスロットの処理が異なる点を除いて、第１の実施の形態と同一に構成される。
【０１５６】
すなわち図１４に示すように、例えば抜粋情報の登録にエントリ及びサムネイル画像のエントリでそれぞれ１スロットが必要な場合、スロットＰＥＳｎにおいては、サムネイルの空きスロットが不足することになる。これに対してスロットＰＥＳｎ＋１においては、サムネイルの空きスロットを有していることになる。
【０１５７】
このような場合において、システム制御マイコン１９は、不足するスロットについて有無フラグが無しに設定され、かつ拡張スロット番号が有意な値に設定されてなるプロパティエントリＥ４のスロットＰＥＳｎ＋２を検出する。システム制御マイコン１９は、図１４の対比により図１５に示すように、このようなスロットＰＥＳｎ＋２を検出すると、このスロットＰＥＳｎ＋２について、この空きスロットＴＨＥｍを指し示さないように、拡張フラグを空にセットし、これによりこの空きスロットＴＨＥｍを、それまで属していたスロットＰＥＳｎ＋２の組み合わせから取り除く。
【０１５８】
また抜粋情報を登録するサムネイルの空きスロットＰＥＳｎにおいて、この取り除いたスロットＴＨＥｍを指し示すようにスロット番号を設定し、また有無フラグを有りに設定し、これによりこの取り除いた空きスロットＴＨＥｍを抜粋情報の登録対象である空きスロットＰＥＳｎの組み合わせに加える。またこのように空きスロットＴＨＥｍを加えてなる空きスロットＰＥＳｎの組み合わせに抜粋情報を登録する。
【０１５９】
このためこの実施の形態に係るシステム制御マイコン１９においては、図１０及び図１１について上述したステップＳＰ２９、ステップＳＰ３０に係る処理に代えて、図１６及び図１７に示す、ステップＳＰ２９−１〜ステップＳＰ２９−５の処理手順を実行する。なおこの図１６及び図１７に示す処理手順において、図１０及び図１１の処理手順と同一の処理は、対応する符号を付して示し、重複した説明は省略する。
【０１６０】
すなわちシステム制御マイコン１９は、ステップＳＰ２７で肯定結果が得られると（図１０）、ステップＳＰ２７からステップＳＰ２８に移り、ここで抜粋情報の登録対象であるプロパティエントリのスロットにおいて、対応するサムネイルスロットの存在を示す有無フラグが空に設定されているか否か判断する。ここで否定結果が得られると、システム制御マイコン１９は、ステップＳＰ２８からステップＳＰ３１に移り、ステップＳＰ３２、ステップＳＰ３３の処理手順を実行して、又はステップＳＰ３１、ステップＳＰ３４の処理手順を実行してステップＳＰ３５（図１０）に移る。
【０１６１】
これに対してステップＳＰ２８で肯定結果が得られると、この場合サムネイル画像エントリにスロットが存在しないことにより、ステップＳＰ２９−１に移る。システム制御マイコン１９は、このステップＳＰ２９−１において、有無フラグが空に設定され、かつスロット番号が有意な値に設定されているプロパティエントリのスロットが存在するか否か判断する。ここで否定結果が得られると、システム制御マイコン１９は、ステップＳＰ２９−１からステップＳＰ２９−２に移り、サムネイル画像エントリの末尾に空きスロットを追加する。また続くステップＳＰ２９−３において、ステップＳＰ２８の処理に係るプロパティエントリの空きスロットに、このステップＳＰ２９−２で追加した空きスロットを指し示すように、スロット番号を設定した後、ステップＳＰ３１に移る。
【０１６２】
これに対してステップＳＰ２９−１で肯定結果が得られると、システム制御マイコン１９は、ステップＳＰＳＰ２９−１からステップＳＰ２９−４に移り、このステップＳＰ２９−１で検出した空きスロットに係るスロット番号をコピーして、処理対象であるプロパティエントリの空きスロットにセットする。また続くステップＳＰ２９−５において、ステップＳＰ２９−１で検出した空きスロットに係るスロット番号を空に設定し、ステップＳＰ３１に移る。
【０１６３】
この第３の実施の形態においては、他のスロットの組み合わせの空きスロットを指し示すように、抜粋情報を登録する空きスロットにスロット番号を設定すると共に、このスロット番号の設定に対応するように有無フラグを設定することにより、不足する空きスロットを他のスロットの組み合わせから空きスロットの組み合わせに移動させて抜粋情報を登録することにより、第１及び第２の実施の形態に比して一段と空きスロットの発生を少なくして、第１の実施の形態と同様の効果を得ることができる。
【０１６４】
（４）他の実施の形態
なお上述の実施の形態においては、ファイル形式のエントリによりインデックスファイルを構成する場合について述べたが、本発明はこれに限らず、内部ファイルの形式により各エントリを形成してインデックスファイルを構成する場合にも広く適用することができる。
【０１６５】
また上述の実施の形態においては、本発明を光ディスク装置に適用して撮像結果、パソコンの出力等を記録する場合について述べたが、本発明はこれに限らず、光磁気ディスク、ハードディスク装置等の各種記録媒体に記録した多数のファイルを管理する場合、さらには所定のサーバーに保持した多数のファイルを管理する場合等に広く適用することができる。
【０１６６】
また上述の実施の形態においては、ＱＴムービーファイルによる管理対象ファイルを管理する場合について述べたが、本発明はこれに限らず、種々のフォーマットによるビデオデータによるファイル、オーディオデータによるファイル等を管理する場合に広く適用することができる。
【０１６７】
また上述の実施の形態においては、管理対象ファイルと共にインデックスファイルを記録する場合について述べたが、本発明はこれに限らず、管理対象ファイルと異なる記録媒体にインデックスファイルを記録する場合、さらには管理対象ファイルと異なるサーバー上にインデックスファイルを保持する場合等に広く適用することができる。
【０１６８】
また上述の実施の形態においては、システム制御マイコン１９に事前にインストールされた処理プログラムにより一連の処理を実行する場合について述べたが、本発明はこれに限らず、このようなプログラムを記録媒体、インターネット等のネットワークにより提供し、このプログラムにより一連の処理を実行する場合についても広く適用することができる。なおこのような記録媒体においては、光ディスク、磁気テープ等、種々の記録媒体を広く適用することができる。
【０１６９】
【発明の効果】
上述のように本発明によれば、プロパティのスロットに、有効無効を示す情報、同一ファイルに係る抜粋情報を割り当てた他のスロットとの関連を示す情報を記録して、抜粋情報を記録したスロットの組み合わせをプロパティにより管理することにより、またこのようなスロットの組み合わせにより空きスロットを再利用することにより、抜粋情報をその抜粋情報の種類毎にまとめたデータ群によりインデックスファイルを形成し、１つのデータ群により他のデータ群をまとめて管理する場合に、抜粋情報の削除、追加に係る処理を簡易かつ確実に実行することができる。
【図面の簡単な説明】
【図１】本発明の第１の実施の形態に係る光ディスク装置を示すブロック図である。
【図２】プロパティエントリの説明に供する図表である。
【図３】抜粋情報の登録の説明に供する図表である。
【図４】抜粋情報の削除の説明に供する図表である。
【図５】空きスロットを再利用する抜粋情報の登録の説明に供する図表である。
【図６】空きスロットの追加による抜粋情報の登録の説明に供する図表である。
【図７】図６の状態からの削除の説明に供する図表である。
【図８】図５の処理に係る処理手順を示すフローチャートである。
【図９】図８の続きを示すフローチャートである。
【図１０】図６の処理に係る処理手順を示すフローチャートである。
【図１１】図９の続きを示すフローチャートである。
【図１２】本発明の第２の実施の形態に係る空きスロットを再利用する抜粋情報の登録の説明に供する図表である。
【図１３】図１２の処理に係る処理手順を示すフローチャートである。
【図１４】本発明の第３の実施の形態に係る空きスロットを再利用する抜粋情報の登録の説明に供する図表である。
【図１５】図１４に続く処理を示す図表である。
【図１６】図１５の処理に係る処理手順を示すフローチャートである。
【図１７】図１６の続きを示すフローチャートである。
【図１８】インデックスファイルの説明に供する図表である。
【符号の説明】
１……光ディスク装置、２……光ディスク、１１……ビデオ符号器、１２……オーディオ符号器、１３……ビデオ復号器、１４……オーディオ復号器、１５……ファイル生成器、１６……ファイル復号器、１９……システム制御マイコン
【図１】
2004259397.tif 000003
【図２】
2004259397.tif 000004
【図３】
2004259397.tif 000005
【図４】
2004259397.tif 000006
【図５】
2004259397.tif 000007
【図６】
2004259397.tif 000008
【図７】
2004259397.tif 000009
【図８】
2004259397.tif 000010
【図９】
2004259397.tif 000011
【図１０】
2004259397.tif 000012
【図１１】
2004259397.tif 000013
【図１２】
2004259397.tif 000014
【図１３】
2004259397.tif 000015
【図１４】
2004259397.tif 000016
【図１５】
2004259397.tif 000017
【図１６】
2004259397.tif 000018
【図１７】
2004259397.tif 000019
【図１８】
2004259397.tif 000020
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
所望のファイルを記録媒体に記録する記録装置において、
前記ファイル及びフォルダに係る抜粋情報により、前記記録媒体に記録した前記ファイルのインデックスファイルを作成するインデックスファイル生成手段を備え、
前記インデックスファイル生成手段は、
前記抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当てて前記インデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにした
ことを特徴とする記録装置。
【請求項２】
所定の前記ファイル又はフォルダに係る全グループの抜粋情報を削除する場合、
該抜粋情報を有する前記プロパティのグループのスロットにおいて、前記異なるグループの対応するスロットを指し示すスロット番号を変更することなく保持したまま、前記有効無効情報を無効に設定すると共に、前記拡張スロット番号、前記有無情報、前記拡張情報をクリアすることで、該ファイル又はフォルダの抜粋情報を割り当てた全てのスロットを空きスロットに設定する
ことを特徴とする請求項１に記載の記録装置。
【請求項３】
所定の前記ファイル又はフォルダに係る所定の前記異なるグループの抜粋情報を削除する場合、
該抜粋情報の属性情報を有する前記プロパティのグループのスロットにおいて、前記有効無効情報、前記拡張スロット番号、前記スロット番号を変更することなく保持したまま、前記有無情報を無に設定すると共に、前記拡張情報をクリアすることで、前記異なるグループの対応するスロットを空きスロットに設定する
ことを特徴とする請求項１に記載の記録装置。
【請求項４】
前記有効無効情報により前記プロパティのグループにおける空きスロットを検出し、
該検出した空きスロットに設定された前記スロット番号により、過去に１つの前記ファイル又は前記フォルダの抜粋情報を割り当てた空きスロットの組み合わせを検出し、
該検出した空きスロットの組み合わせに、前記抜粋情報を登録する
ことを特徴とする請求項２に記載の記録装置。
【請求項５】
前記検出した空きスロットの組み合わせによっては、スロットが不足する場合、
前記スロットが不足するグループが前記プロパティのグループである場合は、前記有効無効情報の設定による空きスロットを追加し、
前記スロットが不足するグループが前記異なるグループである場合は、該グループに空きスロットを追加し、追加したスロットのスロット番号を、前記プロパティのグループの空きスロットの、前記異なるグループの対応するスロットを指し示すスロット番号に設定し、
該追加したスロットを前記検出した空きスロットの組み合わせに追加し、
前記抜粋情報を登録する
ことを特徴とする請求項４に記載の記録装置。
【請求項６】
前記空きスロットの追加を、所定個数だけまとめて実行し、
該追加した空きスロットの中から、不足する個数だけ前記検出した空きスロットの組み合わせに追加し、前記抜粋情報を登録する
ことを特徴とする請求項５に記載の記録装置。
【請求項７】
前記抜粋情報の登録に前記プロパティのグループにスロットが複数個分必要な場合、
前記有効無効情報により前記プロパティのグループにおける空きスロットを必要個数、検出し、
１つの空きスロットより他の空きスロットを指し示すように、前記拡張スロット番号を順次設定することにより、前記１つの空きスロットに係る空きスロットの組み合わせと、前記他の空きスロットに係る空きスロットの組み合わせを１つの空きスロットの組み合わせに設定し、
該１つの空きスロットの組み合わせに、前記抜粋情報を登録する
ことを特徴とする請求項２に記載の記録装置。
【請求項８】
前記検出した空きスロットの組み合わせによっては、前記異なるグループにおいてスロットが不足する場合、
他のスロットの組み合わせで空きスロットに設定されてなる対応するグループの空きスロットを指し示すように、前記検出した空きスロットの組み合わせにおいて前記スロット番号を設定すると共に、このスロット番号の設定に対応するように前記有無情報を設定することにより、前記検出した空きスロットの組み合わせに、前記他のスロットの組み合わせにおける対応するグループの空きスロットを加え、
前記他のスロットの組み合わせにおいて、前記他のスロットの組み合わせで空きスロットに設定されてなるスロットを指し示さないように、前記スロット番号にヌル値を設定することにより、前記他のスロットの組み合わせから、前記空きスロットに設定されてなるスロットを取り除き、
前記検出した空きスロットの組み合わせに、前記抜粋情報を登録する
ことを特徴とする請求項４に記載の記録装置。
【請求項９】
所定領域に保持された複数のファイルに係るファイル管理方法において、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにした
ことを特徴とするファイル管理方法。
【請求項１０】
コンピュータに所定の処理手順を実行させることにより、所定領域に保持された複数のファイルを管理するファイル管理方法のプログラムにおいて、
前記処理手順が、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにする処理手順である
ことを特徴とするファイル管理方法のプログラム。
【請求項１１】
コンピュータに所定の処理手順を実行させることにより、所定領域に保持された複数のファイルを管理するファイル管理方法のプログラムを記録した記録媒体において、
前記処理手順が、
前記ファイル及びフォルダに係る抜粋情報をその抜粋情報の種類毎にグループ化し、
前記抜粋情報のうちの前記ファイルの属性情報を割り当ててなるプロパティのグループとは異なるグループにおいては、１つの前記ファイル又は前記フォルダの前記抜粋情報を１個又は複数個の固定長のスロットに割り当て、
前記プロパティのグループにおいては、少なくとも前記異なるグループのスロットに対応するスロットを有するように、１つの前記ファイル又は前記フォルダの前記抜粋情報を１個又は複数個の固定長のスロットに割り当ててインデックスファイルを作成し、
前記プロパティのグループの前記スロットに、各グループを管理する管理情報を設定し、
前記管理情報に、
自身のスロットの有効無効を示す有効無効情報と、
前記自身のスロットに続く拡張スロットを指し示す拡張スロット番号と、
前記自身のスロットに係る前記ファイルの抜粋情報を割り当てた、前記異なるグループの対応するスロットの有無を示す有無情報と、
前記異なるグループの対応するスロットを指し示すスロット番号と、
前記異なるグループの対応するスロットが拡張スロットであるか否かを示す拡張情報とを設定し、
前記拡張スロット番号、前記有無情報、前記スロット番号、前記拡張情報により、１つの前記ファイル又は前記フォルダの抜粋情報を割り当てたスロットの組み合わせを、前記プロパティのグループで示すようにする処理手順である
ことを特徴とするファイル管理方法のプログラムを記録した記録媒体。
【手続補正２】
【補正対象書類名】明細書
【補正対象項目名】００１５
【補正方法】変更
【補正の内容】
【００１５】
これによりプロパティエントリＥ４に、他のエントリとの関連を示す管理情報を記録し、この管理情報に従って、図１８において矢印により示すように、他のエントリＥ１〜Ｅ３に登録された他のスロットを参照するようにようにすれば、抜粋情報の管理を簡略化し得ると考えられる。


【手続補正３】
【補正対象書類名】明細書
【補正対象項目名】００２３
【補正方法】変更
【補正の内容】
【００２３】
また請求項３の発明においては、請求項１の構成において、所定のファイル又はフォルダに係る所定の異なるグループの抜粋情報を削除する場合、該抜粋情報の属性情報を有するプロパティのグループのスロットにおいて、有効無効情報、拡張スロット番号、スロット番号を変更することなく保持したまま、有無情報を無に設定すると共に、拡張情報をクリアすることで、異なるグループの対応するスロットを空きスロットに設定する。


【手続補正４】
【補正対象書類名】明細書
【補正対象項目名】００３４
【補正方法】変更
【補正の内容】
【００３４】
また請求項３の構成により、請求項１の構成において、所定のファイル又はフォルダに係る所定の異なるグループの抜粋情報を削除する場合、該抜粋情報の属性情報を有するプロパティのグループのスロットにおいて、有効無効情報、拡張スロット番号、スロット番号を変更することなく保持したまま、有無情報を無に設定すると共に、拡張情報をクリアすることで、異なるグループの対応するスロットを空きスロットに設定すれば、例えばサムネイル等の特定のグループに係る抜粋情報のみを作成する場合に、簡易に削除し得、また削除後においては、残された拡張スロット番号、有無情報、スロット番号によるスロットの組み合わせにより、削除した抜粋情報の再登録等に利便を図ることができる。


【手続補正５】
【補正対象書類名】明細書
【補正対象項目名】００７３
【補正方法】変更
【補正の内容】
【００７３】
これによりこの光ディスク装置１において、システム制御マイコン１９は、ファイル生成器１５よりデータ圧縮されたビデオデータ及びオーディオデータを取得してデコードした後、ビデオデータにおいては、画素の間引きによりサムネイル画像を生成するようになされている。またオーディオデータについては、必要箇所を切り出してサウンドのデータを生成するようになされている。また光ディスク２のファイル管理システムに保持された各管理対象ファイルのファイル情報より、さらにはユーザーの設定により、タイトルのデータを生成するようになされている。これに対してプロパティは、ユーザーの操作に応動してシステム制御マイコン１９により作成される。なおこれらサムネイル、サウンドのデータにおいては、必要に応じてデータ圧縮されてインデックスデータアトムに割り当てられる。


【手続補正６】
【補正対象書類名】明細書
【補正対象項目名】０１０８
【補正方法】変更
【補正の内容】
【０１０８】
この場合、システム制御マイコン１９は、図６に示すように、不足するスロットをそれぞれ対応するエントリの末尾に追加する。なおこの図６においては、この追加に係るスロットをそれぞれＰＥＳｏ＋１、ＴＨＥｐ＋１、ＴＨＥｐ＋２により示す。これによりシステム制御マイコン１９は、各エントリの末尾に他のスロットとの間では何ら関連付けられていない空きスロットを設定する。


【手続補正７】
【補正対象書類名】明細書
【補正対象項目名】０１２２
【補正方法】変更
【補正の内容】
【０１２２】
ここで肯定結果が得られると、システム制御マイコン１９は、ステップＳＰ２７からステップＳＰ２８に移り、ここでプロパティエントリより空きスロットを検出し、この空きスロットにおいて、対応するサムネイルスロットの存在を示す有無フラグが無に設定されているか否か判断する。ここで肯定結果が得られると、システム制御マイコン１９は、ステップＳＰ２８からステップＳＰ２９に移り、サムネイル画像エントリの末尾に空きスロットを追加する。また続くステップＳＰ３０において、ステップＳＰ２８の処理に係るプロパティエントリの空きスロットに、このステップＳＰ２９で追加した空きスロットを指し示すように、スロット番号を設定した後、ステップＳＰ３１に移る。これに対してステップＳＰ２８で否定結果が得られると、直接、ステップＳＰ２８からステップＳＰ３１に移る。


【手続補正８】
【補正対象書類名】明細書
【補正対象項目名】０１５７
【補正方法】変更
【補正の内容】
【０１５７】
このような場合において、システム制御マイコン１９は、不足するスロットについて有無フラグが無しに設定され、かつ拡張スロット番号が有意な値に設定されてなるプロパティエントリＥ４のスロットＰＥＳｎ＋２を検出する。システム制御マイコン１９は、図１４の対比により図１５に示すように、このようなスロットＰＥＳｎ＋２を検出すると、このスロットＰＥＳｎ＋２について、この空きスロットＴＨＥｍを指し示さないように、サムネイルスロット番号を空にセットし、これによりこの空きスロットＴＨＥｍを、それまで属していたスロットＰＥＳｎ＋２の組み合わせから取り除く。


【手続補正９】
【補正対象書類名】明細書
【補正対象項目名】０１５８
【補正方法】変更
【補正の内容】
【０１５８】
また抜粋情報を登録するプロパティの空きスロットＰＥＳｎにおいて、この取り除いたスロットＴＨＥｍを指し示すようにスロット番号を設定し、また有無フラグを有りに設定し、これによりこの取り除いた空きスロットＴＨＥｍを抜粋情報の登録対象である空きスロットＰＥＳｎの組み合わせに加える。またこのように空きスロットＴＨＥｍを加えてなる空きスロットＰＥＳｎの組み合わせに抜粋情報を登録する。


【手続補正１０】
【補正対象書類名】明細書
【補正対象項目名】０１６０
【補正方法】変更
【補正の内容】
【０１６０】
すなわちシステム制御マイコン１９は、ステップＳＰ２７で肯定結果が得られると（図１０）、ステップＳＰ２７からステップＳＰ２８に移り、ここで抜粋情報の登録対象であるプロパティエントリのスロットにおいて、対応するサムネイルスロットの存在を示す有無フラグが無に設定されているか否か判断する。ここで否定結果が得られると、システム制御マイコン１９は、ステップＳＰ２８からステップＳＰ３１に移り、ステップＳＰ３２、ステップＳＰ３３の処理手順を実行して、又はステップＳＰ３１、ステップＳＰ３４の処理手順を実行してステップＳＰ３５（図１０）に移る。


【手続補正１１】
【補正対象書類名】明細書
【補正対象項目名】０１６１
【補正方法】変更
【補正の内容】
【０１６１】
これに対してステップＳＰ２８で肯定結果が得られると、この場合サムネイル画像エントリにスロットが存在しないことにより、ステップＳＰ２９−１に移る。システム制御マイコン１９は、このステップＳＰ２９−１において、有無フラグが無に設定され、かつスロット番号が有意な値に設定されているプロパティエントリのスロットが存在するか否か判断する。ここで否定結果が得られると、システム制御マイコン１９は、ステップＳＰ２９−１からステップＳＰ２９−２に移り、サムネイル画像エントリの末尾に空きスロットを追加する。また続くステップＳＰ２９−３において、ステップＳＰ２８の処理に係るプロパティエントリの空きスロットに、このステップＳＰ２９−２で追加した空きスロットを指し示すように、スロット番号を設定した後、ステップＳＰ３１に移る。


【手続補正１２】
【補正対象書類名】図面
【補正対象項目名】図１１
【補正方法】変更
【補正の内容】
【図１１】
2004259397.tif 000021
【手続補正１３】
【補正対象書類名】図面
【補正対象項目名】図１６
【補正方法】変更
【補正の内容】
【図１６】
2004259397.tif 000022